(57)【要約】ＣＳＦＢ（回線交換フォールバック）およびＨＯ（ハンドオーバー）中のＬＩＰＡ（ローカルＩＰ（インターネットプロトコル）アクセス）接続を処理する方法および装置を説明する。ＷＴＲＵ（無線送信／受信ユニット）とのＬＩＰＡ（ローカルインターネットプロトコルアクセス）ＰＤＮ（パケットデータネットワーク）接続を管理する代表的な１つの方法は、切替え操作を実行し、ＷＴＲＵとの通信に対し、ＬＩＰＡ  ＰＤＮ接続から非ＬＩＰＡ  ＰＤＮ接続に切り替えるステップと、切替え操作に応答して、ＬＩＰＡ  ＰＤＮ接続を一時停止するステップとを含む。
2014502831.tif 000002
【特許請求の範囲】
【請求項１】
無線送信／受信ユニット（ＷＴＲＵ）とのローカルインターネットプロトコルアクセス（ＬＩＰＡ）  パケットデータネットワーク（ＰＤＮ）接続を管理する方法であって、前記方法は、
切替え操作を処理し、前記ＷＴＲＵとの通信に対し、ＬＩＰＡ  ＰＤＮ接続から非ＬＩＰＡ  ＰＤＮ接続に切り替えるステップと、
前記ＬＩＰＡ  ＰＤＮ接続を、前記切替え操作に応答して、一時停止するステップと
を含むことを特徴とする方法。
【請求項２】
前記ＬＩＰＡ  ＰＤＮ接続を、前記切替え操作の終了後に再開するステップをさらに含むことを特徴とする請求項１に記載の方法。
【請求項３】
前記切替え操作の前記処理するステップは、回線交換フォールバック（ＣＳＦＢ）操作を実行するステップを含むことを特徴とする請求項１乃至２のいずれか１つに記載の方法。
【請求項４】
前記ＬＩＰＡ  ＰＤＮ接続を、前記切替え操作の終了に応答して再開するステップをさらに含むことを特徴とする請求項１乃至３のいずれか１つに記載の方法。
【請求項５】
前記ＬＩＰＡ  ＰＤＮ接続の前記一時停止するステップは、前記ＬＩＰＡ  ＰＤＮ接続に関連付けられる１つまたは複数のＬＩＰＡベアラーを一時停止するステップを含むことを特徴とする請求項１乃至４のいずれか１つに記載の方法。
【請求項６】
前記切替え操作の前記処理するステップは、前記ＷＴＲＵを、前記ＬＩＰＡ  ＰＤＮ接続に関連付けられる第１のセルから、サービングセルとして非ＬＩＰＡ  ＰＤＮ接続に関連付けられる第２のセルにリダイレクトするステップを含むことを特徴とする請求項１乃至５のいずれか１つに記載の方法。
【請求項７】
前記第１のセルから前記第２のセルに前記リダイレクトするステップは、（１）同じドメインおよび前記第１のセルと異なるセル、または（２）前記第１のセルと異なる別のドメインのうちの１つにある前記第２のセルにリダイレクトするステップを含むことを特徴とする請求項１乃至６のいずれか１つに記載の方法。
【請求項８】
前記一時停止したＬＩＰＡ  ＰＤＮ接続を、所定の期間の後に無効化または再開するステップをさらに含むことを特徴とする請求項１乃至７のいずれか１つに記載の方法。
【請求項９】
前記ＷＴＲＵは、前記ＣＳＦＢ操作によってターゲットシステムに向けられ、前記方法は、
前記ＷＴＲＵを前記ターゲットシステムにアタッチするステップと、
前記ターゲットシステムから、ロングタームエボリューション（ＬＴＥ）  無線アクセス技術（ＲＡＴ）へのリダイレクションを制御するステップと
をさらに含むことを特徴とする請求項１乃至８のいずれか１つに記載の方法。
【請求項１０】
前記ＷＴＲＵを、前記ターゲットシステムからのリダイレクションの後に、前記リダイレクトしたＬＴＥ  ＲＡＴに再アタッチするステップをさらに含むことを特徴とする請求項９に記載の方法。
【請求項１１】
指示を、非ＬＩＰＡ  ＰＤＮ接続に関連付けられるネットワークリソースまたは無線アクセスネットワークに送信し、リダイレクションを処理するステップをさらに含むことを特徴とする請求項１乃至１０のいずれか１つに記載の方法。
【請求項１２】
前記送信した指示に応答して、前記ＷＴＲＵを、前記ＬＩＰＡ  ＰＤＮ接続に関連付けられるローカルセルにリダイレクトし、前記一時停止したＬＩＰＡ  ＰＤＮ接続を再開するステップをさらに含むことを特徴とする請求項１１に記載の方法。
【請求項１３】
無線送信／受信ユニット（ＷＴＲＵ）を、通信に対し、ローカルインターネットプロトコルアクセス（ＬＩＰＡ）  パケットデータネットワーク（ＰＤＮ）接続から非ＬＩＰＡ  ＰＤＮ接続に切り替えるための切替え操作の後に、ＬＩＰＡセルとの前記ＬＩＰＡ  ＰＤＮ接続を管理する方法であって、前記ＬＩＰＡ  ＰＤＮ接続は、前記切替え操作の後に一時停止され、前記方法は
前記非ＬＩＰＡ  ＰＤＮ接続に関連付けられるターゲットシステムによって、情報を、前記ＷＴＲＵのリダイレクションのために前記ＬＩＰＡセルに送り返すステップと、
前記ＷＴＲＵのリダイレクションを、前記ターゲットシステムから、前記ＬＩＰＡ  ＰＤＮ接続に関連付けられる前記ＬＩＰＡセルに制御し、前記一時停止したＬＩＰＡ  ＰＤＮ接続を再開するステップと
を含むことを特徴とする方法。
【請求項１４】
ローカルインターネットプロトコルアクセス（ＬＩＰＡ）  パケットデータネットワーク（ＰＤＮ）接続を管理する装置であって、
切替え操作を実行し、無線送信／受信ユニット（ＷＴＲＵ）との通信に対し、前記ＬＩＰＡ  ＰＤＮ接続から非ＬＩＰＡ  ＰＤＮ接続に切り替え、
前記ＬＩＰＡ  ＰＤＮ接続を、前記切替え操作に応答して、一時停止する
ように構成されたプロセッサ
を備えたことを特徴とする装置。
【請求項１５】
前記ＬＩＰＡ  ＰＤＮ接続の前記一時停止の後に、一時停止期間の満了を指示するように構成された一時停止タイマーをさらに備え、前記プロセッサは、（１）前記一時停止期間の前記満了に応答して、前記一時停止したＬＩＰＡ  ＰＤＮ接続を再開すべきか、または無効化すべきかを決定し、（２）前記一時停止期間の前記満了に、前記一時停止したＬＩＰＡ  ＰＤＮ接続を無効化するか、または再開するように構成されることを特徴とする請求項１４に記載の装置。
【請求項１６】
前記プロセッサは、回線交換フォールバック（ＣＳＦＢ）操作の終了に応答して、リダイレクションを開始し、前記一時停止したＬＩＰＡ  ＰＤＮ接続を再開するように構成されることを特徴とする請求項１４乃至１５のいずれか１つに記載の装置。
【請求項１７】
前記プロセッサは、
前記ＷＴＲＵとの任意のＰＤＮ接続は、決定された結果として、非ＬＩＰＡ  ＰＤＮ接続であるかどうかを判定し、
前記ＬＩＰＡ接続の無効化を、前記決定された結果に基づいて防止する
ように構成されることを特徴とする請求項１４乃至１６のいずれか１つに記載の装置。
【請求項１８】
第１および第２のドメインとの接続を管理するように構成された無線送信／受信ユニット（ＷＴＲＵ）であって、
（１）回線交換呼を要求し、（２）前記第１のドメインに再アタッチすることを示すシグナリングを受信するように構成された送信／受信ユニットと、
前記第１のドメインに再アタッチすることを示す前記受信したシグナリングを破棄し、前記第１のドメインから前記第２のドメインへの、前記回線交換呼のリダイレクションを自立的に制御するように構成されたプロセッサと
を備えたことを特徴とするＷＴＲＵ。
【発明の詳細な説明】
【技術分野】
【０００１】
本出願は、無線通信、詳細には、回線交換フォールバックおよびハンドオーバーを処理する方法、装置、およびシステムに関する。
【背景技術】
【０００２】
関連出願の相互参照
本出願は、参照により本明細書にそれぞれの内容が組み込まれている、２０１１年１月１４日に出願した米国特許仮出願第６１／４３２，８３４号明細書、２０１１年２月３日に出願した米国特許仮出願第６１／４３９，０００号明細書、および２０１１年５月６日に出願した米国特許仮出願第６１／４８３，３３９号明細書の優先権を主張するものである。
【０００３】
回線交換フォールバックは、既存のインフラストラクチャを使用して音声通話を可能にし、かつ既存のインフラストラクチャとの後方互換性を可能にするために使用されている。
【先行技術文献】
【非特許文献】
【０００４】
【非特許文献１】3GPP Technical Specification 23.122, V9.5.0, entitled "3rd Generation Partnership Project; Technical Specification Group Core Network and Terminals; Non-Access-Stratum （NAS） functions related to Mobile Station （MS） in idle mode （Release 9)" published December, 2011
【非特許文献２】3GPP Technical Specification 36.304, V9.5.0, entitled "3rd Generation Partnership Project; Technical Specification Group Radio Access Network; Evolved Universal Terrestrial Radio Access （E-UTRA）; User Equipment （UE） procedures in idle mode （Release 9）"
【非特許文献３】3GPP TS 24.008, V10.1.0, entitled "3rd Generation Partnership Project; Technical Specification Group Core Network and Terminals; Mobile radio interface Layer 3 specification; Core network protocols; Stage 3 （Release 10）"
【発明の概要】
【０００５】
代表的な一実施形態において、ＷＴＲＵ（無線送信／受信ユニット）へのＬＩＰＡ（ローカルインターネットプロトコルアクセス）ＰＤＮ（パケットデータネットワーク）接続を管理する方法は、ＷＴＲＵへの通信のためにＬＩＰＡ  ＰＤＮ接続から非ＬＩＰＡ  ＰＤＮ接続に切り替える切替え操作を実行するステップと、切替え操作に応答して、ＬＩＰＡ  ＰＤＮ接続を一時停止するステップとを含みうる。
【０００６】
別の代表的な実施形態において、通信のためにＷＴＲＵ（無線送信／受信ユニット）をＬＩＰＡ  ＰＤＮ接続から非ＬＩＰＡ  ＰＤＮ接続に切り替える切替え操作の後に、ＬＩＰＡセルへのＬＩＰＡ（ローカルインターネットプロトコルアクセス）ＰＤＮ（パケットデータネットワーク）接続を管理する方法が開示される。ＬＩＰＡ  ＰＤＮ接続は、切替え操作の後、一時停止されうる。この方法は、非ＬＩＰＡ  ＰＤＮ接続に関連付けられるターゲットシステムによって、ＷＴＲＵのリダイレクションのために情報をＬＩＰＡセルに送り返すステップと、ターゲットシステムからＬＩＰＡ  ＰＤＮ接続に関連付けられるＬＩＰＡセルへのＷＴＲＵのリダイレクションを制御し、一時停止したＬＩＰＡ  ＰＤＮ接続を再開するステップとを含みうる。
【０００７】
別の代表的な実施形態において、ＷＴＲＵ（無線送信／受信ユニット）へのＬＩＰＡ（ローカルインターネットプロトコルアクセス）ＰＤＮ（パケットデータネットワーク）接続を管理する方法は、切替え操作に応答して、ＬＩＰＡ  ＰＤＮ接続をローカルで無効化することによって、ＷＴＲＵへの通信のためにＬＩＰＡ  ＰＤＮ接続から非ＬＩＰＡ  ＰＤＮ接続に切り替える切替え操作を実行するステップと、アタッチ手順（ａｔｔａｃｈ  ｐｒｏｃｅｄｕｒｅ）を開始するステップとを含みうる。
【０００８】
別の代表的な実施形態において、ＷＴＲＵ（無線送信／受信ユニット）によるアイドルモード再選択を処理する方法は、ＬＩＰＡ（ローカルインターネットプロトコルアクセス）ＰＤＮ（パケットデータネットワーク）接続を確立するステップと、アイドルモード中の間に一方のネットワークから他方のネットワークに移動するステップと、ＷＴＲＵがＬＩＰＡ  ＰＤＮ接続を有しているかどうかをモビリティ管理エンティティ（ＭＭＥ）に通知するステップとを含みうる。
【０００９】
別の代表的な実施形態において、ＣＳＧ（限定加入者グループ）の加入が失効した場合に、ＷＴＲＵ（無線送信／受信ユニット）を管理する方法は、ＷＴＲＵによって、ＬＩＰＡ（ローカルインターネットプロトコルアクセス）ＰＤＮ（パケットデータネットワーク）接続を確立するステップと、ＷＴＲＵによって、ＣＳＧセルにアクセスすることを試みるステップと、ＷＴＲＵによって、ＷＴＲＵがＣＳＧセルにアクセスすることを試みた場合に、ＷＴＲＵの加入が失効した後ではＷＴＲＵはＣＳＧへのアクセスを許可されないこと、かつＷＴＲＵがＬＩＰＡに対する１つのＰＤＮ接続を有していることを示すメッセージを受信するステップとを含みうる。
【００１０】
別の代表的な実施形態において、ＷＴＲＵ（無線送信／受信ユニット）から緊急呼を発呼する方法は、確立節が緊急に設定されたサービス要求タイプを送信するステップと、送信された確立節を使用してＷＴＲＵのローカルの登録抹消を防ぐステップと、緊急呼に対するパケットデータネットワーク接続を開始するステップとを含みうる。
【００１１】
別の代表的な実施形態において、ＬＩＰＡ（ローカルインターネットプロトコルアクセス）ＰＤＮ（パケットデータネットワーク）接続を処理する方法は、回線交換フォールバックを実行するステップと、ＬＩＰＡ  ＰＤＮ接続の一時停止と無効化との間での決定を行うステップとを含みうる。
【００１２】
別の代表的な実施形態において、第１のタイプのＲＡＴ（無線アクセス技術）を介してＷＴＲＵ（無線送信／受信ユニット）への接続を管理する方法は、ＷＴＲＵへの通信のため第１のタイプのＲＡＴを介した接続から第２のタイプのＲＡＴを介したさらなる接続に切り替える切替え操作を実行するステップと、切替え操作に応答して、第１のタイプのＲＡＴを介した接続を一時停止するステップとを含みうる。
【００１３】
別の代表的な実施形態において、ＷＴＲＵ（無線送信／受信ユニット）の接続を管理する方法は、ＷＴＲＵによって、第１のドメインに再アタッチするシグナリングを受信するステップと、ＷＴＲＵによって、要求された、しかも決定された結果として、第１のドメインに再アタッチするシグナリングを受信することをもたらしたサービスのタイプを決定するステップと、決定された結果に基づき、ＷＴＲＵによって、第２のドメインに、自立的に再選択するステップとを含みうる。
【００１４】
別の代表的な実施形態において、第１のセルとのＬＩＰＡ  ＰＤＮ（パケットデータネットワーク）接続を有するＷＴＲＵ（無線送信／受信ユニット）のハンドオーバーを試みる場合にＷＴＲＵの接続を管理する方法は、ＨｅＮＢ（ホームｅＮｏｄｅＢ）によって、第１の条件が存在するかどうかを判定するステップと、第１の条件が存在することに応答して、ＨｅＮＢによって、試行されたハンドオーバー手順を妨げる、または中断するステップと、ＨｅＮＢによって、ＷＴＲＵを第２のセルにリダイレクトするステップとを含みうる。
【００１５】
別の代表的な実施形態において、ＷＴＲＵ（無線送信／受信ユニット）への１つまたは複数の接続を管理する方法は、ＷＴＲＵの第１の接続からＷＴＲＵへの第２の接続に切り替える切替え操作を実行するステップと、切替え操作を実行した後に少なくとも指定された期間において切替え操作に応答して第１の接続を一時停止するステップとを含みうる。
【００１６】
別の代表的な実施形態において、ＬＩＰＡ（ローカルインターネットプロトコルアクセス）ＰＤＮ（パケットデータネットワーク）接続を管理する装置は、ＷＴＲＵ（無線送信／受信ユニット）への通信のためＬＩＰＡ  ＰＤＮ接続から非ＬＩＰＡ  ＰＤＮ接続に切り替える切替え操作を実行し、切替え操作に応答して、ＬＩＰＡ  ＰＤＮ接続を一時停止するように構成されたプロセッサを備えることができる。
【００１７】
別の代表的な実施形態において、アイドルモード中の間に一方のネットワークから他方のネットワークに移動する場合にＷＴＲＵ（無線送信／受信ユニット）によるアイドルモード再選択を処理するための装置は、ＬＩＰＡ（ローカルインターネットプロトコルアクセス）ＰＤＮ（パケットデータネットワーク）接続を確立するように構成されたプロセッサと、ＷＴＲＵがＬＩＰＡ  ＰＤＮ接続を有しているかどうかをモビリティ管理エンティティ（ＭＭＥ）に通知するように構成された送信／受信ユニットとを備えることができる。
【００１８】
別の代表的な実施形態において、ＣＳＧ（限定加入者グループ）の加入が失効した場合にＷＴＲＵ（無線送信／受信ユニット）を管理するための装置は、ＬＩＰＡ（ローカルインターネットプロトコルアクセス）ＰＤＮ（パケットデータネットワーク）接続を確立するように構成されたプロセッサと、（１）ＣＳＧセルにアクセスすることを試み、（２）ＷＴＲＵがＬＩＰＡ  ＰＤＮ接続を有しているかどうかをモビリティ管理エンティティ（ＭＭＥ）に通知し、（３）ＷＴＲＵがＣＳＧセルにアクセスすることを試みた場合にＷＴＲＵの加入が失効してしまった後ではＷＴＲＵはＣＳＧへのアクセスを許可されないこと、またＷＴＲＵがＬＩＰＡに対する単一のＰＤＮ接続を有していることを示すメッセージを受信するように構成された送信／受信ユニットとを備えることができる。
【００１９】
別の代表的な実施形態において、緊急呼を発呼するための装置は、無線送信／受信ユニットから緊急事態を示すように確立節が設定されているサービス要求タイプを送信するように構成された送信／受信ユニットと、送信された確立節を使用してＷＴＲＵのローカルの登録抹消を防止し、緊急呼に対するパケットデータネットワーク接続を開始するように構成されたプロセッサとを備えることができる。
【００２０】
別の代表的な実施形態において、第１のタイプのＲＡＴ（無線アクセス技術）を介して接続を管理するための装置は、ＷＴＲＵ（無線送信／受信ユニット）への通信のため第１のタイプのＲＡＴを介した接続から第２のタイプのＲＡＴを介したさらなる接続に切り替える切替え操作の実行を制御し、切替え操作に応答して、第１のタイプのＲＡＴを介した接続を一時停止するように構成されたプロセッサを備えることができる。
【００２１】
別の代表的な実施形態において、第１のドメイン内でＬＩＰＡ（ローカルインターネットプロトコルアクセス）ＰＤＮ（パケットデータネットワーク）接続を有していたＬＩＰＡセルから移動する、接続を管理するように構成された、ＷＴＲＵ（無線送信／受信ユニット）は、（１）回線交換呼を要求し、（２）第１のドメインに再アタッチすることを示すシグナリングを受信するように構成された送信／受信ユニットと、第１のドメインに再アタッチすることを示す受信したシグナリングを破棄し、第２のドメイン内で回線交換呼のリダイレクションを自立的に制御するように構成されたプロセッサとを備えることができる。
【００２２】
別の代表的な実施形態において、第１のセルとのＬＩＰＡ  ＰＤＮ（パケットデータネットワーク）接続を有するＷＴＲＵ（無線送信／受信ユニット）のハンドオーバーを試みる場合に接続を管理するためのＨｅＮＢ（ホームｅＮｏｄｅＢ）は、（１）第１の条件が存在するかどうかを判定し、（２）第１の条件に応答して、（ｉ）試みられたハンドオーバー手順を中断し、（ｉｉ）ＷＴＲＵを第２のセルにリダイレクトし、（３）無線リソース制御接続を解放するように構成されたプロセッサを備えることができる。
【図面の簡単な説明】
【００２３】
添付図面と併せて例として与えられる以下の説明を読むと、より詳細に理解することができる。このような図面中の図は、詳細な説明と同様、例である。したがって、図および詳細な説明は、限定するものとしてみなすべきでなく、他の等しく効果的な例も、可能であり、ありうることである。さらに、図中の類似の参照番号は、類似の要素を示す。
【図１】１つまたは複数の開示されている実施形態が実装されうる例示的な通信システムを示す図である。
【図２】図１に例示されている通信システム内で使用されうる例示的なＷＴＲＵ（無線送信／受信ユニット）を示す図である。
【図３】図１に例示されている通信システム内で使用されうる代表的な無線アクセスネットワークおよび代表的なコアネットワークのシステム図である。
【図４】図１に例示されている通信システム内で使用されうる代表的な無線アクセスネットワークおよび代表的なコアネットワークのシステム図である。
【図５】図１に例示されている通信システム内で使用されうる代表的な無線アクセスネットワークおよび代表的なコアネットワークのシステム図である。
【図６】図１に例示されている通信システム内で使用されうるＨｅＮＢ（ホーム発展型ノードＢ）に配置されたＬＧＷ（ローカルゲートウェイ）を備える代表的なアーキテクチャを示す図である。
【図７】ＬＩＰＡ（ローカルインターネットプロトコルアクセス）ＰＤＮ（パケットデータネットワーク）接続を管理するための代表的な方法を示す流れ図である。
【図８】ＬＩＰＡ（ローカルインターネットプロトコルアクセス）ＰＤＮ（パケットデータネットワーク）接続を管理するための別の代表的な方法を示す流れ図である。
【図９】ＷＴＲＵによる再選択を処理するための代表的な方法を示す流れ図である。
【図１０】ＷＴＲＵのコンテキストを管理するための代表的な方法を示す流れ図である。
【図１１】緊急呼を発呼するための代表的な方法を示す流れ図である。
【図１２】ＬＩＰＡ  ＰＤＮ接続を処理するための代表的な方法を示す流れ図である。
【図１３】ＷＴＲＵへの接続を管理するための代表的な方法を示す流れ図である。
【図１４】ＷＴＲＵの接続を管理するための代表的な方法を示す流れ図である。
【図１５】ＷＴＲＵの接続を管理するための代表的な方法を示す流れ図である。
【図１６】ＷＴＲＵの接続を管理するための代表的な方法を示す流れ図である。
【発明を実施するための形態】
【００２４】
代表的な実施形態は、これ以降無線ネットワークアーキテクチャを使用して概要として示されているが、例えば、有線コンポーネントおよび／または無線コンポーネントを伴うネットワークを含む、任意の数の異なるネットワークアーキテクチャを使用してもよい。
【００２５】
図１は、１つまたは複数の開示されている実施形態が実装されうる代表的な通信システム１００の図である。通信システム１００は、データ、動画像、メッセージング、放送などのコンテンツを複数の無線ユーザーに提供する多元接続システムであるものとしてもよい。通信システム１００は、無線帯域を含む、システムリソースの共有を通じて複数のユーザーがそのようなコンテンツにアクセスすることを可能にすることができる。例えば、通信システム１００は、ＣＤＭＡ（符号分割多元接続）、ＴＤＭＡ（時分割多元接続）、ＦＤＭＡ（周波数分割多元接続）、ＯＦＤＭＡ（直交ＦＤＭＡ）、およびＳＣ−ＦＤＭＡ（シングルキャリアＦＤＭＡ）などの１つまたは複数のチャネルアクセス方法を使用することができる。
【００２６】
図１に示されているように、通信システム１００は、ＷＴＲＵ（無線送信／受信ユニット）１０２ａ、１０２ｂ、１０２ｃ、１０２ｄ、ＲＡＮ（無線アクセスネットワーク）１０４、コアネットワーク１０６、ＰＳＴＮ（公衆交換電話網）１０８、インターネット１１０、および他のネットワーク１１２を含むものとしてもよいが、開示されている実施形態では、任意の数のＷＴＲＵ、基地局、ネットワーク、および／またはネットワーク要素を企図していると理解される。ＷＴＲＵ１０２ａ、１０２ｂ、１０２ｃ、１０２ｄのそれぞれは、無線環境において動作し、および／または通信するように構成された任意の種類のデバイスとすることができる。例えば、ＷＴＲＵ１０２ａ、１０２ｂ、１０２ｃ、１０２ｄは無線信号を送信し、および／または受信するように構成することができ、ＵＥ（ユーザー装置）、移動局、固定または移動加入者ユニット、ポケベル（登録商標）、携帯電話、ＰＤＡ（携帯情報端末）、スマートフォン、ラップトップ、ネットブック、パーソナルコンピュータ、無線センサー、および家庭用電化製品などを含みうる。
【００２７】
通信システム１００は、基地局１１４ａおよび基地局１１４ｂを備えることもできる。基地局１１４ａ、１１４ｂのそれぞれは、コアネットワーク１０６、インターネット１１０、および／またはネットワーク１１２などの、１つまたは複数の通信ネットワークへのアクセスが円滑に行われるようにＷＴＲＵ１０２ａ、１０２ｂ、１０２ｃ、１０２ｄのうちの少なくとも１つのＷＴＲＵと無線方式でインターフェース接続するように構成された任意の種類のデバイスとすることができる。例えば、基地局１１４ａ、１１４ｂは、ＢＴＳ（トランシーバ基地局）、ノードＢ、ｅＮｏｄｅＢ、ホームノードＢ、ホームｅＮｏｄｅＢ、サイトコントローラ、アクセスポイント（ＡＰ）、および無線ルーターなどとすることができる。基地局１１４ａ、１１４ｂは、それぞれ、単一要素として示されているが、基地局１１４ａ、１１４ｂは任意の数の相互接続された基地局および／またはネットワーク要素を備えることができることは理解されるであろう。
【００２８】
基地局１１４ａは、ＢＳＣ（基地局制御装置）、ＲＮＣ（無線ネットワークコントローラ）、中継ノードなどの、他の基地局および／またはネットワーク要素（図示せず）も備えることができる、ＲＡＮ１０４の一部であってもよい。基地局１１４ａおよび／または基地局１１４ｂは、セル（図示せず）とも称されうる、特定の地理的領域内で無線信号を送信し、および／または受信するように構成されうる。セルは、いくつかのセルセクターにさらに分割されうる。例えば、基地局１１４ａに関連付けられているセルは、３つのセクターに分割されうる。したがって、一実施形態において、基地局１１４ａは、３つのトランシーバ、すなわち、セルのセクター毎にトランシーバを１つずつ備えることができる。別の実施形態において、基地局１１４ａは、ＭＩＭＯ（マルチ入力マルチ出力）技術を使用することができ、したがって、セルのそれぞれのセクターに対して複数のトランシーバを使用することができる。
【００２９】
基地局１１４ａ、１１４ｂは、ＷＴＲＵ１０２ａ、１０２ｂ、１０２ｃ、１０２ｄのうちの１つまたは複数と、任意の好適な無線通信リンク（例えば、ＲＦ（無線周波数）、マイクロ波、ＩＲ（赤外線）、ＵＶ（紫外線）、可視光などの）であってもよい、エアーインターフェース１１６を介して通信することができる。エアーインターフェース１１６は、任意の好適なＲＡＴ（無線アクセス技術）を使用して設置することができる。
【００３０】
より具体的には、上記のように、通信システム１００は多元接続システムとすることができ、ＣＤＭＡ、ＴＤＭＡ、ＦＤＭＡ、ＯＦＤＭＡ、およびＳＣ−ＦＤＭＡなどの、１つまたは複数のチャネルアクセス方式を使用することができる。例えば、ＲＡＮ１０４内の基地局１１４ａ、およびＷＴＲＵ１０２ａ、１０２ｂ、１０２ｃでは、ＷＣＤＭＡ（登録商標）（広帯域ＣＤＭＡ）を使用してエアーインターフェース１１６を設置することができる、ＵＭＴＳ（ユニバーサルモバイル通信システム）ＵＴＲＡ（地上波無線アクセス）などの無線技術を実装することができる。ＷＣＤＭＡは、ＨＳＰＡ（高速パケットアクセス）および／またはＨＳＰＡ＋（発展型ＨＳＰＡ）などの通信プロトコルを備えることができる。ＨＳＰＡは、ＨＳＤＰＡ（高速ダウンリンクパケットアクセス）および／またはＨＳＵＰＡ（高速アップリンクパケットアクセス）を備えることができる。
【００３１】
別の実施形態において、基地局１１４ａおよびＷＴＲＵ１０２ａ、１０２ｂ、１０２ｃは、ＬＴＥ（ロングタームエボリューション）および／またはＬＴＥ−Ａ（ＬＴＥ−Ａｄｖａｎｃｅｄ）を使用してエアーインターフェース１１６を設置することができる、Ｅ−ＵＴＲＡ（発展型ＵＭＴＳ地上無線アクセス）などの無線技術を実装することができる。
【００３２】
他の実施形態において、基地局１１４ａおよびＷＴＲＵ１０２ａ、１０２ｂ、１０２ｃは、ＩＥＥＥ８０２．１６（すなわち、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ））、ＣＤＭＡ２０００、ＣＤＭＡ２０００ＩＸ、ＩＳ−２０００（ＣＤＭＡ２０００  ＥＶ−ＤＯ、Ｉｎｔｅｒｉｍ  Ｓｔａｎｄａｒｄ  ２０００）、ＩＳ−９５（Ｉｎｔｅｒｉｍ  Ｓｔａｎｄａｒｄ９５）、ＩＳ−８５６（Ｉｎｔｅｒｉｍ  Ｓｔａｎｄａｒｄ８５６）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＥＤＧＥ（Ｅｎｈａｎｃｅｄ  Ｄａｔａ  ｒａｔｅｓ  ｆｏｒ  ＧＳＭ  Ｅｖｏｌｕｔｉｏｎ）、およびＧＥＲＡＮ（ＧＳＭ  ＥＤＧＥ）などの無線技術を実装することができる。
【００３３】
図１の基地局１１４ｂは、例えば、無線ルーター、ホームノードＢ、ホームｅＮｏｄｅＢ、またはアクセスポイントとすることができ、事業所、家庭、自動車、およびキャンパスなどの、局在化されたエリア内で無線接続を円滑に行えるようにするために好適なＲＡＴを利用することができる。一実施形態において、基地局１１４ｂおよびＷＴＲＵ１０２ｃ、１０２ｄは、ＷＬＡＮ（無線ローカルエリアネットワーク）を構築するためにＩＥＥＥ８０２．１１などの無線技術を実装することができる。別の実施形態において、基地局１１４ｂおよびＷＴＲＵ１０２ｃ、１０２ｄは、ＷＰＡＮ（無線パーソナルエリアネットワーク）を構築するためにＩＥＥＥ８０２．１５などの無線技術を実装することができる。さらに別の実施形態において、基地局１１４ｂおよびＷＴＲＵ１０２ｃ、１０２ｄは、ピコセルまたはフェムトセルを構築するためにセルラーベースのＲＡＴ（例えば、ＷＣＤＭＡ、ＣＤＭＡ２０００、ＧＳＭ、ＬＴＥ、ＬＴＥ−Ａなど）を利用することができる。図１に示されているように、基地局１１４ｂは、インターネット１１０との直接接続を有することができる。したがって、基地局１１４ｂは、コアネットワーク１０６を介してインターネット１１０にアクセスする必要がなくなる。
【００３４】
ＲＡＮ１０４は、コアネットワーク１０６と通信しているものとしてもよく、このコアネットワーク１０６は、音声、データ、アプリケーション、および／またはＶｏＩＰ（ボイスオーバーインターネットプロトコル）サービスをＷＴＲＵ１０２ａ、１０２ｂ、１０２ｃ、１０２ｄのうちの１つまたは複数のＷＴＲＵに提供するように構成された任意の種類のネットワークであってもよい。例えば、コアネットワーク１０６は、呼制御、課金サービス、モバイル位置情報サービス、前払い制通話、インターネット接続性、映像配信などを提供し、および／またはユーザー認証などの高水準のセキュリティ機能を備えることができる。図１には示されていないが、ＲＡＮ１０４および／またはコアネットワーク１０６は、ＲＡＮ１０４と同じＲＡＴ、または異なるＲＡＴを使用する他のＲＡＮと直接的な、または間接的な通信を行うことができる。例えば、Ｅ−ＵＴＲＡ無線技術を使用している可能性のある、ＲＡＮ１０４に接続されることに加えて、コアネットワーク１０６は、ＧＳＭ無線技術を採用する別のＲＡＮ（図示せず）と連通していることもある。
【００３５】
コアネットワーク１０６は、ＷＴＲＵ１０２ａ、１０２ｂ、１０２ｃ、１０２ｄがＰＳＴＮ１０８、インターネット１１０、および／または他のネットワーク１１２にアクセスするためのゲートウェイとしても機能しうる。ＰＳＴＮ１０８は、アナログ音声通話のみ可能なＰＯＴＳ（旧来の電話サービス）を提供する回線交換電話網を含むものとしてもよい。インターネット１１０は、ＴＣＰ／ＩＰインターネットプロトコル群に含まれるＴＣＰ（伝送制御プロトコル）、ＵＤＰ（ユーザーデータグラムプロトコル）、およびＩＰ（インターネットプロトコル）などの、共通通信プロトコルを使用する相互接続されたコンピューターネットワークおよびデバイスの地球規模のシステムを含むことができる。ネットワーク１１２は、他のサービスプロバイダによって所有され、および／または運営される有線もしくは無線通信ネットワークを含むことができる。例えば、ネットワーク１１２は、ＲＡＮ１０４と同じＲＡＴ、または異なるＲＡＴを使用することができる、１つまたは複数のＲＡＮに接続された別のコアネットワークを含むことができる。
【００３６】
通信システム１００内のＷＴＲＵ１０２ａ、１０２ｂ、１０２ｃ、１０２ｄのうちのいくつか、またはすべてがマルチモード機能（ｍｕｌｔｉ−ｍｏｄｅ  ｃａｐａｂｉｌｉｔｉｅｓ）を備える、すなわち、ＷＴＲＵ１０２ａ、１０２ｂ、１０２ｃ、１０２ｄは、異なる無線リンクを介して異なる無線ネットワークと通信する複数のトランシーバを備えることができる。例えば、図１に示されているＷＴＲＵ１０２ｃは、セルラーベースの無線技術を使用している可能性のある基地局１１４ａと、およびＩＥＥＥ８０２無線技術を使用している可能性のある基地局１１４ｂと通信するように構成することができる。
【００３７】
図２は、代表的なＷＴＲＵ１０２のシステム図である。図２に示されているように、ＷＴＲＵ１０２は、プロセッサ１１８、トランシーバ１２０、送信／受信要素１２２、スピーカー／マイクロホン１２４、キーパッド１２６、ディスプレイ／タッチパッド１２８、非リムーバブルメモリ１０６、リムーバブルメモリ１３２、電源１３４、ＧＰＳ（全世界測位システム）チップセット１３６、および他の周辺機器１３８を備えることができる。ＷＴＲＵ１０２は、一実施形態との整合性を維持しながら前記の要素の部分的組み合わせを備えることができる。
【００３８】
プロセッサ１１８は、汎用プロセッサ、専用プロセッサ、従来型のプロセッサ、ＤＳＰ（デジタルシグナルプロセッサ）、複数のマイクロプロセッサ、ＤＳＰコアとの関連性を持つ１つまたは複数のマイクロプロセッサ、コントローラ、マイクロコントローラ、ＡＳＩＣ（特定用途向け集積回路）、ＦＰＧＡ（フィールドプログラマブルゲートアレイ）回路、他の種類のＩＣ（集積回路）、および状態機械などとすることができる。プロセッサ１１８は、信号符号化、データ処理、電力制御、入出力処理、および／またはＷＴＲＵ１０２が無線環境内で動作することを可能にする他の機能性を実行することができる。プロセッサ１１８は、送信／受信要素１２０に結合されうる、トランシーバ１２２に結合することができる。図２は、プロセッサ１１８およびトランシーバ１２０を別々のコンポーネントとして表しているが、プロセッサ１１８およびトランシーバ１２０は、電子パッケージまたはチップ内にまとめて集積化されうる。
【００３９】
送信／受信要素１２２は、エアーインターフェース１１６を介して基地局（例えば、基地局１１４ａ）に信号を送信するか、または基地局（例えば、基地局１１４ａ）から信号を受信するように構成されうる。例えば、一実施形態において、送信／受信要素１２２は、ＲＦ信号を送信し、および／または受信するように構成されたアンテナとすることができる。別の実施形態において、送信／受信要素１２２は、例えば、ＩＲ、ＵＶ、または可視光信号を送信し、および／または受信するように構成された放射体／検出器とすることができる。さらに別の実施形態において、送信／受信要素１２２は、ＲＦ信号と光信号の両方を送信し、受信するように構成されうる。送信／受信要素１２２は、無線信号の組み合わせを送信し、および／または受信するように構成されうる。
【００４０】
それに加えて、図２には送信／受信要素１２２は単一の要素として示されているが、ＷＴＲＵ１０２は、任意の数の送信／受信要素１２２を備えることができる。より具体的には、ＷＴＲＵ１０２は、ＭＩＭＯ技術を採用することができる。そのため、一実施形態において、ＷＴＲＵ１０２は、エアーインターフェース１１６を介して無線信号を送信し受信するための２つまたはそれ以上の送信／受信要素１２２（例えば、複数のアンテナ）を備えることができる。
【００４１】
トランシーバ１２０は、送信器／受信要素１２２によって送信されるべき信号を変調し、送信／受信要素１２２によって受信された信号を復調するように構成されうる。上記のように、ＷＴＲＵ１０２は、マルチモード機能を有することができる。そのため、トランシーバ１２０は、例えば、ＵＴＲＡおよびＩＥＥＥ８０２．１１などの複数のＲＡＴを介してＷＴＲＵ１０２が通信することを可能にするための複数トランシーバを備えることができる。
【００４２】
ＷＴＲＵ１０２のプロセッサ１１８は、スピーカー／マイクロホン１２４、キーパッド１２６、および／またはディスプレイ／タッチパッド１２８（例えば、ＬＣＤ（液晶ディスプレイ）表示ユニットまたはＯＬＥＤ（有機発光ダイオード）表示ユニット）に結合され、またそこからユーザー入力データを受け取ることができる。プロセッサ１１８は、ユーザーデータをスピーカー／マイクロホン１２４、キーパッド１２６、および／またはディスプレイ／タッチパッド１２８に出力することもできる。それに加えて、プロセッサ１１８は、非リムーバブルメモリ１０６および／またはリムーバブルメモリ１３２などの、任意の種類の好適なメモリにある情報にアクセスし、データをそのようなメモリに格納することができる。非リムーバブルメモリ１０６としては、ＲＡＭ（ランダムアクセスメモリ）、ＲＯＭ（リードオンリーメモリ）、ハードディスク、または他の種類のメモリストレージデバイスが挙げられる。リムーバブルメモリ１３２としては、ＳＩＭ（加入者識別モジュール）カード、メモリスティック、およびＳＤ（セキュアデジタル）メモリカードなどが挙げられる。他の実施形態において、プロセッサ１１８は、サーバーもしくはホームコンピュータ（図示せず）上など、ＷＴＲＵ１０２上に物理的に配置されていないメモリにある情報にアクセスし、データをそのようなメモリに格納することができる。
【００４３】
プロセッサ１１８は、電源１３４から電力を受け取り、その電力をＷＴＲＵ１０２内の他のコンポーネントに分配し、および／または制御するように構成されうる。電源１３４は、ＷＴＲＵ１０２に給電するための任意の好適なデバイスとすることができる。例えば、電源１３４としては、１つまたは複数の乾電池（例えば、ＮｉＣｄ（ニッケルカドミウム）電池、ＮｉＺｎ（ニッケル亜鉛）電池、ＮｉＭＨ（ニッケル水素）電池、Ｌｉ−ｉｏｎ（リチウムイオン）など）、太陽電池、および燃料電池などが挙げられる。
【００４４】
プロセッサ１１８は、ＷＴＲＵ１０２の現在位置に関する位置情報（例えば、経度と緯度）を提供するように構成されうる、ＧＰＳチップセット１３６にも結合されうる。ＧＰＳチップセット１３６からの情報に加えて、またはその代わりに、ＷＴＲＵ１０２は、基地局（例えば、基地局１１４ａ、１１４ｂ）からエアーインターフェース１１６を介して位置情報を受信し、および／または２つもしくはそれ以上の付近の基地局から信号を受信するタイミングに基づきその位置を決定することができる。ＷＴＲＵ１０２は、一実施形態との整合性を維持しながら任意の好適な位置決定方法を用いて位置情報を取得することができる。
【００４５】
プロセッサ１１８は、追加の特徴、機能性、および／または有線もしくは無線接続性を提供する１つまたは複数のソフトウェアおよび／またはハードウェアモジュールを備えうる、他の周辺機器１３８にさらに結合されるものとしてもよい。例えば、周辺機器１３８としては、加速度計、電子コンパス、衛星トランシーバ、デジタルカメラ（写真または動画用）、ＵＳＢ（ユニバーサルシリアルバス）ポート、バイブレーションデバイス、テレビジョントランシーバ、ハンズフリーヘッドセット、ブルートゥース（登録商標）モジュール、ＦＭ（周波数変調）ラジオユニット、デジタル音楽プレーヤー、メディアプレーヤー、ビデオゲームプレーヤーモジュール、およびインターネットブラウザなどが挙げられる。
【００４６】
図３は、別の実施形態によるＲＡＮ１０４およびコアネットワーク１０６のシステム図である。上記のように、ＲＡＮ１０４では、エアーインターフェース１１６を介してＷＴＲＵ１０２ａ、１０２ｂ、１０２ｃ通信するためにＥ−ＵＴＲＡ無線技術を使用することができる。ＲＡＮ１０４は、コアネットワーク１０６と通信することもできる。
【００４７】
ＲＡＮ１０４は、ｅＮｏｄｅＢ１４０ａ、１４０ｂ、１４０ｃを備えることができるが、ＲＡＮ１０４は、一実施形態との整合性を維持しながら任意の数のｅＮｏｄｅＢを備えることができる。ｅＮｏｄｅ−Ｂ１４０ａ、１４０ｂ、１４０ｃは、それぞれ、エアーインターフェース１１６を介してＷＴＲＵ１０２ａ、１０２ｂ、１０２ｃと通信するための１つまたは複数のトランシーバを備えることができる。一実施形態において、ｅＮｏｄｅ−Ｂ１４０ａ、１４０ｂ、１４０ｃは、ＭＩＭＯ技術を実装することができる。そのため、ｅＮｏｄｅＢ１４０ａは、例えば、複数のアンテナを使用して、ＷＴＲＵ１０２ａに無線信号を送信し、ＷＴＲＵ１０２ａから無線信号を受信することができる。
【００４８】
ｅＮｏｄｅ−Ｂ１４０ａ、１４０ｂ、１４０ｃのそれぞれは、特定のセル（図示せず）に関連付けることができ、無線リソース管理決定、ハンドオーバー決定、アップリンクおよび／またはダウンリンクにおけるユーザーのスケジューリングなどを処理するように構成されうる。図３に示されているように、ｅＮｏｄｅ−Ｂ１４０ａ、１４０ｂ、１４０ｃは、Ｘ２インターフェースを介して互いに通信することができる。
【００４９】
図３に示されているコアネットワーク１０６は、ＭＭＥ（モビリティ管理エンティティ）１４２、ＳＧＷ（サービングゲートウェイ）１４４、およびＰＤＮ（パケットデータネットワーク）１４６を含むものとしてもよい。前記の要素のそれぞれは、コアネットワーク１０６の一部として示されているが、これらの要素のうちのどれか１つが、コアネットワーク事業者以外の事業体によって所有され、および／または運営されていてもよいことは理解されるであろう。
【００５０】
ＭＭＥ１４２は、Ｓ１インターフェースを介してＲＡＮ１０４内のｅＮｏｄｅ−Ｂ１４０ａ、１４０ｂ、１４２０ｃのそれぞれに接続され、制御ノードとして使用されうる。例えば、ＭＭＥ１４２は、ＷＴＲＵ１０２ａ、１０２ｂ、１０２ｃのユーザーの認証、ベアラー有効化／無効化、ＷＴＲＵ１０２ａ、１０２ｂ、１０２ｃの初期アタッチ時の特定のサービングゲートウェイの選択を行う役割を有しているものとしてもよい。ＭＭＥ１４２は、ＲＡＮ１０４とＧＳＭまたはＷＣＤＭＡなどの他の無線技術を使用する他のＲＡＮ（図示せず）とを切り換えるための制御プレーン機能も備えることができる。
【００５１】
サービングゲートウェイ１４４は、Ｓ１インターフェースを介してＲＡＮ１０４内のｅＮｏｄｅ−Ｂ１４０ａ、１４０ｂ、１４０ｃのそれぞれに接続されうる。サービングゲートウェイ１４４は、概して、ＷＴＲＵ１０２ａ、１０２ｂ、１０２ｃとの間でデータパケットの経路選択および回送を実行することができる。サービングゲートウェイ１４４は、ｅＮｏｄｅＢ間ハンドオーバー時のユーザープレーンのアンカリング、ＷＴＲＵ１０２ａ、１０２ｂ、１０２ｃに対してダウンリンクデータが利用可能になった場合にページングをトリガーすること、ＷＴＲＵｓ  １０２ａ、１０２ｂ、１０２ｃのコンテキストを管理し、格納することなどの操作など、他の機能も実行することができる。
【００５２】
サービングゲートウェイ１４４は、ＰＤＮゲートウェイ１４６にも接続することができ、これは、ＷＴＲＵ１０２ａ、１０２ｂ、１０２ｃとＩＰ対応デバイスとの間の通信が円滑に行われるように、インターネット１１０などの、パケット交換ネットワークへのＷＴＲＵ１０２ａ、１０２ｂ、１０２ｃのアクセスを可能にする。
【００５３】
コアネットワーク１０６は、他のネットワークとの通信を円滑に行えるようにすることができる。例えば、コアネットワーク１０６は、ＷＴＲＵ１０２ａ、１０２ｂ、１０２ｃと従来の地上通信回線を使用する通信デバイスとの間の通信が円滑に行われるように、ＰＳＴＮ１０８などの、回路交換ネットワークへのＷＴＲＵ１０２ａ、１０２ｂ、１０２ｃのアクセスを可能にする。例えば、コアネットワーク１０６は、コアネットワーク１０６とＰＳＴＮ１０８との間のインターフェースとして機能するＩＰゲートウェイ（例えば、ＩＰ  ＩＭＳ（マルチメディアサブシステム）サーバー）を備えるか、またはそれと通信することができる。それに加えて、コアネットワーク１０６によって、ＷＴＲＵ１０２ａ、１０２ｂ、１０２ｃは、他のサービスプロバイダによって所有され、および／または運営されている他の有線もしくは無線ネットワークを含んでいる可能性のある、ネットワーク１１２にアクセスすることが可能になる。
【００５４】
図４は、一実施形態によるＲＡＮ１０４およびコアネットワーク１０６のシステム図である。上記のように、ＲＡＮ１０４では、エアーインターフェース１１６を介してＷＴＲＵ１０２ａ、１０２ｂ、１０２ｃ通信するためにＵＴＲＡ無線技術を使用することができる。ＲＡＮ１０４は、コアネットワーク１０６と通信することもできる。図３に示されているように、ＲＡＮ１０４は、ノードＢ１５０ａ、１５０ｂ、１５０ｃを備えることができ、これらはそれぞれ、エアーインターフェース１１６を介してＷＴＲＵ１０２ａ、１０２ｂ、１０２ｃと通信するための１つまたは複数のトランシーバを備えることができる。ノードＢ１５０ａ、１５０ｂ、１５０ｃは、それぞれ、ＲＡＮ１０４内の特定のセル（図示せず）に関連付けることができる。ＲＡＮ１０４も、ＲＮＣ１５２ａ、１５２ｂを備えることができる。ＲＡＮ１０４は、一実施形態との整合性を維持しながら任意の数のノードＢおよびＲＮＣ備えることができることは理解されるであろう。
【００５５】
図４に示されるように、ノードＢ１５０ａ、１５０ｂは、ＲＮＣ１５２ａと通信しているものとしてもよい。それに加えて、ノードＢ１５０ｃは、ＲＮＣ１５２ｂと通信していてもよい。ノードＢ１５０ａ、１５０ｂ、１５０ｃは、Ｉｕｂインターフェースを介して各ＲＮＣ１５２ａ、１５２ｂと通信することができる。ＲＮＣ１５２ａ、１５２ｂは、Ｉｕｒインターフェースを介して互いに通信することもできる。ＲＮＣ１５２ａ、１５２ｂのそれぞれは、接続先の各ノードＢ１５０ａ、１５０ｂ、１５０ｃを制御するように構成されうる。それに加えて、ＲＮＣ１５２ａ、１５２ｂのそれぞれは、アウターループ電力制御、負荷制御、アドミッション制御、パケットスケジューリング、ハンドオーバー制御、マクロダイバーシティ、セキュリティ機能、およびデータ暗号化などの他の機能を実行もしくはサポートするように構成されうる。
【００５６】
図４に示されているコアネットワーク１０６は、ＭＧＷ（メディアゲートウェイ）１５４、ＭＳＣ（移動通信交換局）１５６、ＳＧＳＮ（サービングＧＰＲＳサポートノード）１５８、および／またはＧＧＳＮ（ゲートウェイＧＰＲＳサポートノード）１５９を備えることができる。前記の要素のそれぞれは、コアネットワーク１０６の一部として示されているが、これらの要素のうちのどれか１つが、コアネットワーク事業者以外の事業体によって所有され、および／または運営されていてもよいことは理解されるであろう。
【００５７】
ＲＡＮ１０４内のＲＮＣ１５２ａは、ＩｕＣＳインターフェースを介してコアネットワーク１０６内のＭＳＣ１５６に接続することができる。ＭＳＣ１５６は、ＭＧＷ１５４に接続することができる。ＭＳＣ１５６およびＭＧＷ１５４は、ＷＴＲＵ１０２ａ、１０２ｂ、１０２ｃと従来の地上通信回線を使用する通信デバイスとの間の通信が円滑に行われるように、ＰＳＴＮ１０８などの、回路交換ネットワークへのＷＴＲＵ１０２ａ、１０２ｂ、１０２ｃのアクセスを可能にする。
【００５８】
ＲＡＮ１０４内のＲＮＣ１４２ａは、ＩｕＰＳインターフェースを介してコアネットワーク１０６内のＳＧＳＮ１５８に接続することもできる。ＳＧＳＮ１５８は、ＧＧＳＮ１５９に接続することができる。ＳＧＳＮ１５８およびＧＧＳＮ１５９は、ＷＴＲＵ１０２ａ、１０２ｂ、１０２ｃとＩＰ対応デバイスとの間の通信が円滑に行われるように、インターネット１１０などの、パケット交換ネットワークへのＷＴＲＵ１０２ａ、１０２ｂ、１０２ｃのアクセスを可能にするものとしてもよい。
【００５９】
上で指摘したように、コアネットワーク１０６によって、他のサービスプロバイダによって所有され、および／または運営されている他の有線もしくは無線ネットワークを含んでいる可能性のある、ネットワーク１１２にも接続することできる。
【００６０】
図５は、別の実施形態によるＲＡＮ１０４およびコアネットワーク１０６のシステム図である。ＲＡＮ１０４は、エアーインターフェース１１６を介してＷＴＲＵ１０２ａ、１０２ｂ、１０２ｃ通信するためにＩＥＥＥ８０２．１６無線技術を採用するＡＳＮ（アクセスサービスネットワーク）であってもよい。以下でさらに説明するように、ＷＴＲＵ１０２ａ、１０２ｂ、１０２ｃ、ＲＡＮ１０４、およびコアネットワーク１０６の異なる機能的エンティティの間の通信リンクを参照ポイントとして定義することができる。
【００６１】
図５に示されるように、ＲＡＮ１０４は、基地局１６０ａ、１６０ｂ、１６０ｃ、およびＡＳＮゲートウェイ１６２を備えることができるが、ＲＡＮ１０４は、一実施形態との整合性を維持しながら任意の数の基地局およびＡＳＮゲートウェイを備えることができる。基地局１６０ａ、１６０ｂ、１６０ｃは、それぞれ、ＲＡＮ１０４内の特定のセル（図示せず）と関連付けられ、それぞれエアーインターフェース１１６を介してＷＴＲＵ１０２ａ、１０２ｂ、１０２ｃと通信するための１つまたは複数のトランシーバを備えることができる。一実施形態において、基地局１６０ａ、１６０ｂ、１６０ｃは、ＭＩＭＯ技術を実装することができる。そのため、基地局１６０ａは、例えば、複数のアンテナを使用して、ＷＴＲＵ１０２ａに無線信号を送信し、ＷＴＲＵ１０２ａから無線信号を受信することができる。基地局１６０ａ、１６０ｂ、１６０ｃは、ハンドオフのトリガー、トンネル確立、無線リソース管理、トラヒック分類、およびＱｏＳ（サービス品質）ポリシー強制などの機能など、モビリティ管理機能を備えることもできる。ＡＳＮゲートウェイ１６２は、トラヒックアグリゲーションポイントとして使用され、ページング、加入者プロファイルのキャッシング、コアネットワーク１０６へのルーティングの機能を担うものとしてもよい。
【００６２】
ＷＴＲＵ１０２ａ、１０２ｂ、１０２ｃとＲＡＮ１０４との間のエアーインターフェース１１６は、ＩＥＥＥ８０２．１６仕様を実装するＲ１参照ポイントとして定義されうる。それに加えて、ＷＴＲＵ１０２ａ、１０２ｂ、１０２ｃのそれぞれは、コアネットワーク１０６との論理インターフェース（図示せず）を確立することができる。ＷＴＲＵ１０２ａ、１０２ｂ、１０２ｃとコアネットワーク１０６との間の論理インターフェースは、認証、認可、ＩＰホスト構成管理、および／またはモビリティ管理に使用されうる、Ｒ２参照ポイントとして定義することができる。
【００６３】
基地局１６０ａ、１６０ｂ、１６０ｃのそれぞれの間の通信リンクは、ＷＴＲＵのハンドオーバーおよび基地局間のデータの転送を円滑にするためのプロトコルを備えるＲ８参照ポイントとして定義されうる。基地局１６０ａ、１６０ｂ、１６０ｃとＡＳＮゲートウェイ１６２との間の通信リンクは、Ｒ６参照ポイントとして提示されうる。Ｒ６参照ポイントは、ＷＴＲＵ１０２ａ、１０２ｂ、１０２ｃのそれぞれに関連付けられているモビリティイベントに基づくモビリティ管理を円滑に行うためのプロトコルを備えることができる。
【００６４】
図５に示されるように、ＲＡＮ１０４をコアネットワーク１０６に接続することができる。ＲＡＮ１０４とコアネットワーク１０６との間の通信リンクは、例えば、データ転送およびモビリティ管理機能を円滑にするプロトコルを備えるＲ３参照ポイントとして定義されうる。コアネットワーク１０６は、ＭＩＰ−ＨＡ（モバイルＩＰホームエージェント）１６４、ＡＡＡ（認証／認可／アカウンティング）サーバー１６６、およびゲートウェイ１６８を備えることができる。前記の要素のそれぞれは、コアネットワーク１０６の一部として示されているが、これらの要素のうちのどれか１つが、コアネットワーク事業者以外の事業体によって所有され、および／または運営されていてもよいことは理解されるであろう。
【００６５】
ＭＩＰ−ＨＡ１６４は、ＩＰアドレス管理を受け持ち、ＷＴＲＵ１０２ａ、１０２ｂ、１０２ｃが異なるＡＳＮおよび／または異なるコアネットワーク間でローミングすることを可能にしうる。ＭＩＰ−ＨＡ１６４は、ＷＴＲＵ１０２ａ、１０２ｂ、１０２ｃとＩＰ対応デバイスとの間の通信が円滑に行われるように、インターネット１１０などの、パケット交換ネットワークへのＷＴＲＵ１０２ａ、１０２ｂ、１０２ｃのアクセスを可能にするものとしてもよい。ＡＡＡサーバー１６６は、ユーザー認証およびユーザーサービスのサポートを担うものとしてもよい。ゲートウェイ１６８は、他のネットワークとの相互のやり取りを円滑にすることができる。例えば、ゲートウェイ１６８は、ＷＴＲＵ１０２ａ、１０２ｂ、１０２ｃと従来の地上通信回線を使用する通信デバイスとの間の通信が円滑に行われるように、ＰＳＴＮ１０８などの、回路交換ネットワークへのＷＴＲＵ１０２ａ、１０２ｂ、１０２ｃのアクセスを可能にする。それに加えて、ゲートウェイ１６８によって、ＷＴＲＵ１０２ａ、１０２ｂ、１０２ｃは、他のサービスプロバイダによって所有され、および／または運営されている他の有線もしくは無線ネットワークを含んでいる可能性のある、ネットワーク１１２にアクセスすることが可能になる。
【００６６】
図５には示されていないが、ＲＡＮ１０４は、他のＡＳＮに接続され、コアネットワーク１０６は、他のコアネットワークに接続されうることは理解されるであろう。ＲＡＮ１０４と他のＡＳＮとの間の通信リンクは、ＲＡＮ１０４と他のＡＳＮとの間のＷＴＲＵ１０２ａ、１０２ｂ、１０２ｃのモビリティを調整するためのプロトコルを含むものとしてもよい、Ｒ４参照ポイントとして定義することができる。コアネットワーク１０６と他のコアネットワークとの間の通信リンクは、ホームコアネットワークと訪問したコアネットワークとの間の相互のやり取りを円滑にするためのプロトコルを含むものとしてもよい、Ｒ５参照ポイントとして定義することができる。
【００６７】
モバイルユーザーは、ＧＲＰＳ、ＥＤＧＥ、ワイドエリアアクセス用の３Ｇおよび／または４Ｇ、および／またはローカルエリアアクセス用のＷｉＦｉなどのネットワークにアクセスするために広範な技術を選択することができる。モバイルホストは、ますますマルチホーム化され（例えば、複数アクセス技術および／またはマルチアクセスポイントを介して接続され）、２つまたはそれ以上の異種インターフェースを有することがある。インターネットコンテンツは、コンテンツ配信がより複雑になる形で（例えば、正しいロケーションから正しいコンテンツを取得するために）次第に（例えば、「クラウド」に）分散化されてきている。
【００６８】
ある代表的な実施形態では、マルチホーム無線デバイス（例えば、とりわけモバイルホスト、モバイルデバイス、ネットブック、および／またはＵＥ）は、コンテンツ（例えば、インターネットベースのコンテンツ）をアクセスまたは受信（例えば、効率よくアクセスまたは受信）することができる。
【００６９】
ある代表的な実施形態では、マルチホームモバイルホストは、コンテンツを送信する、またはコンテンツを受信する（例えば、効率よくコンテンツを受信する）ために利用可能なインターフェース（例えば、無線および／または有線の）の一部または全部を使用（例えば、完全利用）することができる。
【００７０】
受信機は、図１〜５に無線端末として説明されているが、ある代表的な実施形態では、そのような端末は通信ネットワークとの有線通信インターフェースを使用できることが企図されている。
【００７１】
図６は、ＨｅＮＢ（ホーム発展型ノードＢ）上に（例えば物理的に）配置されたＬＧＷ（ローカルゲートウェイ）を含む代表的なアーキテクチャ（例えば、３ＧＰＰ（第３世代パートナーシッププロジェクト）アクセス用の）を例示する図である。
【００７２】
次に図６を参照すると、代表的なアーキテクチャ２００は、ＣＮ１０６、ＳｅＧＷ（セキュリティゲートウェイ）１７６、およびＥ−ＵＴＲＡＮ（ＵＥＴＲＡネットワーク）１７０を含みうる。ＣＮ１０６は、ＭＭＥ１４２、ＳＧＷ１４４、ＰＧＷ１４６、ＨＳＳ（ホーム加入者サーバー）１４３、および／またはＰＣＲＦ（ポリシーおよび課金ルール機能）１４５を備えることができる。Ｅ−ＵＴＲＡＮ１７０は、（１）ＬＧＷ（ローカルゲートウェイ）１７２および／またはＨｅＮＢ１７４を備えるホームネットワーク１７５と、および／または（２）ＩＰバックホール１８０とを備えることができ、ＳｅＧＷ１７６を介してＣＮ１０６の発展型パケットコアとインターフェース接続することができる。ＩＰバックホール１８０は、ホームＧＷ１８５を介してホームネットワーク１７０とインターフェース接続することができる。
【００７３】
ＭＭＥ１４２は、（１）Ｓ６ａインターフェースを介してＨＳＳ１４３と、（２）Ｓ１１インターフェースを介してＳＧＷ１４４と、（３）Ｓ１−ＭＭＥインターフェースを介してホームネットワーク１７０のＨｅＮＢと、および／または（４）Ｓ３インターフェースを介してＳＧＳＮ１５８とインターフェース接続することができる。ＳＧＷ１４４は、（１）Ｓ１−Ｕインターフェースを介してＨｅＮＢ１７４とインターフェース接続することができ、また、ＰＧＷ１４６とＬＧＷ１７２との間を、（２）Ｓ１１インターフェースを介してＭＭＥ１４２を、（３）Ｓ４インターフェースを介してＳＧＳＮ１５８を、および／または（４）Ｓ１２インターフェースを介してＵＴＲＡＮを接続（例えば、インターフェース（例えば、Ｓ５インターフェース）を構成）することができる。ＰＧＷ１４６は、（１）ＳＧｉインターフェースを介してオペレータのＩＰサービス１９０と、（２）ＳＧＷ１４４を使用してＳ５インターフェースを介してＬＧＷ１７２と、および／またはＧｘインターフェースを介してＰＣＲＦ１４５とインターフェース接続することができる。ＨｅＮＢ１７４は、ＬＴＥ−Ｕｕインターフェースを介してＷＴＲＵ１０２とインターフェース接続することができる。
【００７４】
ＬＩＰＡ（ローカルインターネットプロトコル（ＩＰ）アクセス）を使用することで、ＷＴＲＵ（無線送信／受信ユニット）１０２は、その無線アクセス（例えば、ＬＴＥ−Ｕｕ）においてＨｅＮＢ１７４を介してＩＰ接続を行うことができる。ＷＴＲＵ１０２は、ＷＴＲＵのＨｅＮＢロケーションに関してローカルである同じ住宅／企業ＩＰネットワーク内の他のＩＰエンティティとのＩＰセッションに参加することができる。ＬＩＰＡに対するデータトラヒックは、オペレータのＣＮ１０６を横断しえない。シグナリングトラヒックは、ＣＮ１０６を横断することができる（例えば、ＬＩＰＡトラヒック用のシグナリングは、例えば、ＭＭＥ１４２で着信しうる）。
【００７５】
ＬＩＰＡなしでは、ＷＴＲＵ１０２のＩＰアドレスは、ＣＮ１０６に常駐しうる、ＰＧＷ１４６によって割り当てられうる。ＬＩＰＡなしでは、ＵＬ（アップリンク）におけるトラヒック経路は、ＷＴＲＵ１０２から、Ｅ−ＵＴＲＡＮ１７０内のｅＮＢへ、ＳＧＷ１４４へ、ＰＧＷ１４６へ、次いでオペレータのＩＰネットワーク１９０に至るものとしてもよい。ＤＬ（ダウンリンク）では、データ経路は反転されうる（例えば、ＰＧＷ１４６から、ＳＧＷを経由し、Ｅ−ＵＴＲＡＮ１７０内のｅＮＢ（またはＨｅＮＢ１７４）を経由し、ＷＴＲＵ１０２に至る）。
【００７６】
ＬＩＰＡでは、ＷＴＲＵ１０２が大学構内のネットワークなどの、ローカルネットワークとのＩＰ接続を確立することが許されうる。ＷＴＲＵ１０２は、ＣＮ１０６への少なくとも１つのＰＤＮ接続およびローカルネットワークへの少なくとも１つの他のＰＤＮ接続、例えばＬＩＰＡを含む２つまたはそれ以上のＰＤＮ（パケットデータネットワーク）接続を有することができる。別の例では、ユーザーは、多くのデバイス、例えば、プリンタ、テレビ（ＴＶ）、およびオーディオプレーヤーなどの接続先となるユーザーのホームでＩＰネットワークを有することができる。ＷＴＲＵ１０２は、ＩＰネットワークへのローカル接続、例えば、ＬＩＰＡを有することができる。
【００７７】
ＬＩＰＡ接続では、ＨｅＮＢ１７４またはＣＳＧ（限定加入者グループ）上の同一の位置（例えば、物理的に同一の位置）にある、（ＰＧＷ１４６と同等のものであってもよい）、ＬＧＷ１７２が使用されうる。
【００７８】
ＬＩＰＡ  ＰＤＮ接続を有するＷＴＲＵ１０２は、例えば、ＭＯ（移動局発信）呼を開始するか、またはＭＴ（移動局着信）呼を受け付けるために、ＣＳＦＢ（回線交換フォールバック）サービスを要求することができる。ＣＳＦＢは、ＲＡＴ（無線アクセス技術）の変更（例えば、ＬＴＥから、ＧＥＲＡＮもしくはＵＴＲＡＮ（例えば、ＧＥＲＡＮ（ＧＳＭ（Ｇｌｏｂａｌ  Ｓｙｓｔｅｍ  Ｆｏｒ  Ｍｏｂｉｌｅ  Ｃｏｍｍｕｎｉｃａｔｉｏｎｓ）／ＥＤＧＥ（Ｅｎｈａｎｃｅｄ  Ｄａｔａ  ｒａｔｅｓ  ｆｏｒ  ＧＳＭ  Ｅｖｏｌｕｔｉｏｎ）無線アクセスアクセスネットワーク）またはＵＴＲＡＮ（ユニバーサル地上無線アクセスネットワーク））へのシステム間変更）を伴いうる。ターゲットネットワークは、ＰＳ（パケット交換）ＨＯ（ハンドオーバー）をサポートしえず、ＬＴＥにおいてＷＴＲＵ１０２が有していたＰＳサービスは一時停止されうる。一時停止したトラヒックは、もしあれば、ＣＮトラヒックであってもよいことは企図される。
【００７９】
ある代表的な実施形態では、ＬＩＰＡは、ＣＳＦＢサービスが開始される後であっても維持される（例えば、ＷＴＲＵ１０２は、現在のＨｅＮＢ１７４を出て（例えば、ＬＩＰＡの場合）、および／またはＲＡＴを変更しうる）。ある代表的な実施形態では、ＷＴＲＵ１０２は、ＬＩＰＡ  ＰＤＮ接続のみを交換している可能性があり、ＣＮトラヒックに対する１つまたは複数の他のＰＤＮ接続を有することがある。
【００８０】
ある代表的な実施形態では、共通の代表的な原理／操作は、代表的なＵＭＴＳシステムと代表的なＥＰＳ（発展型パケットシステム）の両方に適用することができ、これらの原理／操作は、
（１）ＭＯ（携帯電話事業者）のＣＮ１０６を通るトラヒックに対する１つまたは複数の個別のＰＤＮ（パケットデータネットワーク）接続、
（２）複数のＰＤＮ接続をサポートするプレリリース９の３ＧＰＰ標準ＷＴＲＵ１０２は、とりわけ、ＬＩＰＡ、ＳＩＰＴＯ（選択的ＩＰトラヒックオフローディング）、および／またはＭＯのＣＮ  ＰＤＮ接続に同時にアクセスすることができること、
（３）ＬＩＰＡトラヒックでは、ＥＰＳおよびＵＭＴＳに対するローカルＰ−ＧＷ機能もしくはローカルＧＧＳＮ機能は、それぞれ、例えば、住宅／企業ネットワーク内に配置されうること、
（４）ＭＯのＣＮ１０６を通過するトラヒックでは、Ｐ−ＧＷ／ＧＧＳＮ１４６および１５９は、ＣＮ１０６内に配置されうること、
（５）ＬＩＰＡ  ＰＤＮは、ＡＰＮ（アクセスポイントネーム）（例えば、明確に定義された名前）によって識別されうること、
（６）ＷＴＲＵ１０２とネットワークとの間のモビリティ管理シグナリングは、ＣＮ１０６内で処理されうること、
（７）セッション管理シグナリング（ベアラーセットアップなど）は、ＣＮ１０６内に着信しうること、
（８）ＬＩＰＡまたはＳＩＰＴＯ  ＰＤＮ接続が確立される前に、ＷＴＲＵ１０２は、ＣＮ１０６によって認証され、認可され、および／または登録されうること、
（９）ＬＩＰＡ／ＳＩＰＴＯトラヒックに対するページング機能は、コアＳＧＳＮ／ＭＭＥ１５８および１４２内に配置されうる。
【００８１】
（１０）アクティブなＷＴＲＵ１０２では、ユーザープレーンがコアＳＧＷ１４４および／またはＳＧＳＮ１５８をバイパスすることを可能にする、ＬＩＰＡトラヒックに使用されるＥＰＳ／ＵＭＴＳベアラーのルーティングを最適化するメカニズムが実装されうること、
（１１）ＰＤＰコンテキスト／ＰＤＮ接続性有効化のための代表的な手順を使用して、（ａ）ＬＩＰＡを確立し、（ｂ）ＬＩＰＡがＷＴＲＵ１０２に対して有効化／無効化されているかを判定し、（ｃ）ＳＧＳＮ／ＭＭＥ１５８および１４２のところでＬＧＷ選択を実行し、および／または（ｃ）Ｈ（ｅ）ＮＢ１７４とＬＧＷ１７２との間の直接的経路を使用可能にするための相関情報を与えることができること、
（１２）ＰＤＰコンテキスト／ＰＤＮ接続性無効化のための代表的な手順を使用して、ＬＩＰＡ  ＰＤＰコンテキスト／ＰＤＮ接続性を無効化することができること
のうちの１つまたは複数を含みうる。
【００８２】
上記の代表的な原理／操作に基づき、ＭＯのＣＮ１０６を通過するトラヒックに対して個別のＰＤＮ接続が確立されうる。ＷＴＲＵ１０２は、ＬＩＰＡに対する１つのＰＤＮ接続およびＣＮトラヒックに対する１つまたは複数の他のＰＤＮ接続を有することができる。
【００８３】
ＬＩＰＡ接続は、ＷＴＲＵ１０２が、例えばインターネット１１０へのＬＩＰＡ接続を（例えば、ＣＮ１０６を横断せずに）与えることができるＨｅＮＢ１７４（または３Ｇの場合にはＨＮＢ）によってカバーされる（例えば、カバーエリア内にある）場合に利用可能である（例えば、利用可能であるのみ）ということも企図される。ＷＴＲＵ１０２が、ＨｅＮＢのカバーエリアから移動して離れる（例えば、ＨｅＮＢのカバーエリアから外へ出る）場合、ＰＤＮ  ＬＩＰＡ接続は無効化されうる。例えば、ＬＴＥでは、ＷＴＲＵ１０２がＬＩＰＡに対するＰＤＮ接続を有していた場合（例えば、有していただけの場合）、接続が無効化される、ＷＴＲＵ１０２は、システムに再アタッチしなければならないことがある（例えば、ＷＴＲＵ１０２が（例えば、ＬＴＥにおいてＩＰアドレス取得に変換される）ＰＤＮ接続を有する（例えば、常に有する）べきであるため）。
【００８４】
ＬＩＰＡ  ＰＤＮ接続を有するＷＴＲＵ１０２からＴＲＡＣＫＩＮＧ  ＡＲＥＡ  ＵＰＤＡＴＥ  ＲＥＱＵＥＳＴメッセージが届いた場合に、ＬＩＰＡ  ＰＤＮ接続のＥＰＳベアラーコンテキストに対する格納されているセル識別が現在のセル識別と異なる場合、ＭＭＥ１４２は、ＬＩＰＡ  ＰＤＮ接続に関連するＥＰＳベアラーコンテキスト（例えば、ＥＰＳベアラーコンテキストのすべて）を無効化する（例えば、ローカルで無効化する）ことができる。ＷＴＲＵ１０２に対してアクティブなＥＰＳベアラーコンテキストが残っていない場合、ＭＭＥ１４２は、ＥＰＳ  ＥＭＭ（モビリティ管理）原因値＃１０（「ｉｍｐｌｉｃｉｔｌｙ  ｄｅｔａｃｈｅｄ（暗黙のうちにデタッチされた）」）を含みうるＴＲＡＣＫＩＮＧ  ＡＲＥＡ  ＵＰＤＡＴＥ  ＲＥＪＥＣＴメッセージを送信することができる。
【００８５】
ＬＩＰＡ  ＰＤＮ接続を有するＷＴＲＵ１０２からサービス要求が受信された場合に、ＬＩＰＡ  ＰＤＮ接続のＥＰＳベアラーコンテキストに対する格納されているセル識別が現在のセル識別と異なる場合、ＭＭＥ１４２は、ＬＩＰＡ  ＰＤＮ接続に関連するＥＰＳベアラーコンテキスト（例えば、ＥＰＳベアラーコンテキストのすべて）を無効化する（例えば、ローカルで無効化する）ことができる。ＷＴＲＵ１０２に対してアクティブなＥＰＳベアラーコンテキストが残っていない場合、ＭＭＥ１４２は、ＥＭＭ原因値＃１０（「ｉｍｐｌｉｃｉｔｌｙ  ｄｅｔａｃｈｅｄ（暗黙のうちにデタッチされた）」）を含むＳＥＲＶＩＣＥ  ＲＥＪＥＣＴメッセージを送信することができる。
【００８６】
ＷＴＲＵ１０２が、ＬＩＰＡを提供したＨｅＮＢ１７４のカバーエリアから出た場合、ＷＴＲＵ１０２がＬＩＰＡ  ＰＤＮ接続を有していた（例えば、有していただけの）場合に、ＷＴＲＵ１０２のＴＡＵ（トラッキングエリア更新）またはＳＲ（サービス要求）は拒絶されうる。ＷＴＲＵ１０２が受信した「ｉｍｐｌｉｃｉｔｌｙ  ｄｅｔａｃｈｅｄ（暗黙のうちにデタッチされた）」原因コードは、強制的にＷＴＲＵ１０２にシステムへの再アタッチを実行させうる。ＨｅＮＢカバーエリアから外に出ているＷＴＲＵ１０２のモビリティは、アイドルモードで実行され、ＷＴＲＵ１０２は、後から、例えば周期的ＴＡＵタイマーがタイムアウトする場合に、またはアイドルモードから接続モードに遷移するために、ＴＡＵもしくはＳＲメッセージを送信することができることが企図される。
【００８７】
ある代表的な実施形態では、ＷＴＲＵ１０２は、別のセルへハンドオーバーされうる（例えば、接続モードにおけるモビリティ（例えば、ハンドオーバー）は、ＬＩＰＡを別のセルに提供することができるＨｅＮＢ１７４から生じる）。ＬＩＰＡ接続に関連するＬＩＰＡベアラーは、最初に、発信元ＨｅＮＢ１７４（または３Ｇの場合にはＨＮＢ）で解放されてから、ＨＯ（ハンドオーバー）手順を続けることができることが企図される。発信元ＨｅＮＢ１７４はＨＯをＬＧＷ１７２に示し、ＰＧＷ１４６開始ベアラー無効化手順に関してＬＩＰＡベアラー（例えば、ＬＩＰＡのすべて）を解放することができ、ＨＯは、発信元１７４によって実行されうる。
【００８８】
いくつかの代表的な場合において、ＲＲＣ接続を解放し、ＷＴＲＵ１０２を別のドメイン／ＲＡＴ（例えば、ＧＥＲＡＮ／ＵＴＲＡＮ２０５および２１０）にリダイレクトすることによって回線交換フォールバック（ＣＳＦＢ）手順を実行することができる。
【００８９】
ある代表的な実施形態では、ＨＯ手順は、ＲＲＣ接続を維持している間にＣＳＦＢ機能を実現するように実装されうる（例えば、ＷＴＲＵ１０２のＨＯは、ＷＴＲＵ１０２に対する接続モードをＣＮ１０６に維持している間に生じうる）。
【００９０】
ある代表的な実施形態では、ＬＩＰＡベアラーは、ＰＳサービスを有効化するためにＣＳＦＢの開始時に無効化されず、ＣＳＦＢの後再開するＬＩＰＡ  ＰＤＮ接続は、完了しているものとしてもよい。
【００９１】
ある代表的な実施形態では、ＣＳＦＢの後のＬＴＥサービスの適切な再開が確実になされるようにＭＭＥ１４２によりＷＴＲＵ１０２からサービス要求および／またはＥＳＲ（拡張ＳＲ）を処理する処理手順が実装されうる。
【００９２】
ある代表的な実施形態では、同じトラッキングエリア／ルーティングエリア／ロケーションエリア（ＴＡ／ＲＡ／ＬＡ）内で別のセルに移動しうるＷＴＲＵ１０２の接続モードＨＯを処理する処理手順が実装されうる。
【００９３】
ある代表的な実施形態では、ＷＴＲＵ１０２が単一のＬＩＰＡ  ＰＤＮ接続を有する（例えば、有するだけの）場合、ＷＴＲＵ１０２の接続モードＨＯを処理する処理手順が実装されうる。
【００９４】
ある代表的な実施形態では、例えば、ＷＴＲＵの加入が失効し、および／またはＷＴＲＵがＣＳＧにおいて許可されていない場合に、ＬＩＰＡ接続とともにＣＳＧ（限定加入者グループ）セル上のＷＴＲＵ１０２を処理する処理手順が実装されうる。
【００９５】
ある代表的な実施形態では、ＬＩＰＡが提供されていた場合にＷＴＲＵ１０２がＣＳＧセルから移動する時期を処理する処理手順を実装することができ、ＷＴＲＵは、例えば、ＷＴＲＵ１０２がＩＭＳ緊急呼を発呼するためのＳＲメッセージを送信することができる場合に、別のＰＤＮ接続を有していないことがある。
【００９６】
例えば、ＷＴＲＵのＮＡＳ要求（例えば、ＳＲ）がＣＳＧ加入の失効により拒絶された場合、原因コード＃２５「ｎｏｔ  ａｕｔｈｏｒｉｚｅｄ  ｆｏｒ  ｔｈｉｓ  ＣＳＧ（このＣＳＧは許可されていない）」が、ＷＴＲＵ１０２に送信され、ＣＳＧ加入が失効したのか、ＷＴＲＵ１０２がＣＳＧに入るのを許可されていないかについて、ＭＭＥ１４２の混乱を引き起こしうる。
【００９７】
ＥＭＭ原因＃２５「ｎｏｔ  ａｕｔｈｏｒｉｚｅｄ  ｆｏｒ  ｔｈｉｓ  ＣＳＧ（このＣＳＧは許可されていない）」は、ＣＳＧセルから受信した場合に適用可能であるものとしてもよい（例えば、適用可能であるのみである）。ＥＭＭ原因コード＃２５のＳＥＲＶＩＣＥ  ＲＥＪＥＣＴメッセージが完全性保護なしで受信された場合、ＷＴＲＵ１０２は、このメッセージを破棄することができる。
【００９８】
ＷＴＲＵ１０２は、ＥＰＳ更新ステータスをＥＵ３  ＲＯＡＭＩＮＧ  ＮＯＴ  ＡＬＬＯＷＥＤに設定することができる（かつそれを格納することができる）。ＷＴＲＵは、状態「ＥＭＭ−ＲＥＧＩＳＴＥＲＥＤ．ＬＩＭＩＴＥＤ−ＳＥＲＶＩＣＥに入ることができる。
【００９９】
ＷＴＲＵ１０２がサービス要求手順を開始したセルのＣＳＧ  ＩＤが許可ＣＳＧリストに含まれる場合、ＷＴＲＵ１０２は、許可ＣＳＧリストからこのＣＳＧ  ＩＤに対応するエントリを取り除くことができる。ＷＴＲＵ１０２がサービス要求手順を開始したセルのＣＳＧ  ＩＤがオペレータＣＳＧリストに含まれる場合、ＷＴＲＵ１０２は、例えば、非特許文献１のセクション３．１Ａで定義されている手順を適用することができ、非特許文献１の全内容は参照により本明細書に組み込まれている。
【０１００】
ＷＴＲＵ１０２は、例えば、非特許文献２により、同じＰＬＭＮ（パブリックランドモバイルネットワーク）内の好適なセルを探索することができ、非特許文献２の全内容は参照により本明細書に組み込まれている。
【０１０１】
Ａ／ＧｂモードまたはＩｕモードがＷＴＲＵ１０２でサポートされている場合、ＷＴＲＵ１０２は、サービス要求手順が同じ値のＧＭＭ原因で拒絶された場合にＧＭＭ（ＧＰＲＳモビリティ管理）パラメータ、ＧＭＭ状態、および／またはＧＰＲＳ更新ステータスを（例えば、非特許文献３（非特許文献３の全内容は参照により本明細書に組み込まれている）の中で）指定されたとおりに処理することができる。ＷＴＲＵ１０２は、別の好適なセルを探索し、ＣＳＧ  ＩＤが許可ＣＳＧ  ＩＤのリストに加えられるまでこのセルに戻ることができない。
【０１０２】
ある代表的な実施形態では、例えば、ＬＩＰＡ  ＰＤＮ接続（例えば、ＬＩＰＡ  ＰＤＮ接続のみ）を有するＷＴＲＵが無線アクセス技術の変更に至るアイドルモード再選択を実行する場合に、ＬＩＰＡ接続とともにＣＳＧ（限定加入者グループ）セル上のＷＴＲＵ１０２を処理する処理手順が実装されうる。
【０１０３】
ある代表的な実施形態では、３ＧＰＰリリース１０にはＬＩＰモビリティがないためＬＩＰＡ接続が維持されえないので、ＷＴＲＵ１０２がＵＴＲＡＮ２１０においてＬＩＰＡ接続を有していなかった場合の処理手順が実装されうる。例えば、ＭＭＥ１４２は、ＷＴＲＵ１０２のＩＰ接続がＬＩＰＡ接続であり、ＭＭＥ１４２は、ユーザーがＰＳセッションを行うことを開始できるようにＩＰアドレス（例えば、ＬＩＰＡと異なるアドレス）をＷＴＲＵ１０２が有することを許可することを知ることができると通知されうる。ＷＴＲＵ１０２に対する既存のＰＤＰコンテキストがＬＩＰＡベースであるかどうかの指示は、ＳＧＳＮ１５８とＭＭＥ１４２との間で転送されるメッセージで実装されうる。同じ手順がモビリティの他の方向に（例えば、アイドルモードにおいてＬＴＥからＵＴＲＡＮへの方向に）等しく適用可能であること、および／またはＷＴＲＵ１０２がＭＭＥ１４２を変更し、新しいＭＭＥ１４２が旧ＭＭＥ１４２に接触する場合（またはＷＴＲＵ１０２がＳＧＳＮ１５８を変更し、新しいノードが旧ＳＧＳＮ１５８と接触する場合）が企図される。ＵＴＲＡＮ２１０からＬＴＥへのアイドルモードモビリティに対して用意された処理手順も、他のＲＡＴにも、同様に適用される。
【０１０４】
ある代表的な実施形態では、ＷＴＲＵ１０２は、ＨｅＮＢカバーエリア内にあり、ＬＩＰＡ  ＰＤＮ接続を有するものとしてもよい。ＷＴＲＵ１０２は、ＣＮトラヒックに対する別のＰＤＮ接続を有することもできる。「ＰＤＮ接続」という用語は、ＬＴＥと３Ｇの両方に使用されるが、これは、ＬＴＥまたは３Ｇに限定されるわけではなく、概して、ＧＥＲＡＮ／ＵＴＲＡＮもしくは他の同様のシステムにおけるＰＤＰコンテキストまたはＰＤＰ接続または類似のセッションを指すものとしてもよく、代表的なＣＳＦＢ手順は、概して、異なるＲＡＴに、例えば、ＬＴＥおよび／またはＧＥＲＡＮ／３Ｇに、等しく適用可能であるものとしてもよい。
【０１０５】
ある代表的な実施形態では、ＬＩＰＡ  ＰＤＮ接続の一時停止が生じる場合に（例えば、ＣＳＦＢが実行される場合に）処理する一時停止手順が実装されうる。ＷＴＲＵ１０２は、ＣＳＦＢを実行する場合に、発信元ＨｅＮＢ１７４からその無線を実際に切断しうるとしても、ＬＩＰＡ  ＰＤＮ接続は、ＣＳＦＢがあるためキャンセルできない。ＷＴＲＵ１０２は、ＣＳサービスが完了した後、同じセル（例えば、ＰＳサービスを再開するためにＬＩＰＡ  ＰＤＮ接続がすでに確立されたＨｅＮＢ１７４）に戻ることができる。ＷＴＲＵ１０２が、例えば、ＣＳＦＢに対するＥＳＲメッセージをＭＭＥ１４２に送信する場合に、ＭＭＥ１４２は、ＷＴＲＵ１０２に対するＬＩＰＡについて確立されたＰＤＮ接続があるかどうかを知る（例えば、決定する）ことができる。ＭＭＥ１４２は、ＣＳＦＢに関してＬＧＷ１７２に（例えば、直接的にまたは間接的に）通知することができ、ＬＧＷ１７２は、ＥＳＲメッセージを送信するＷＴＲＵ１０２に対してＬＩＰＡベアラーを一時停止することができる。ある代表的な実施形態では、ＭＭＥ１４２は、ＨｅＮＢ１７４に、ＷＴＲＵ１０２のＬＩＰＡベアラーがＭＭＥ１４２とＨｅＮＢ１７４との間で交換されるＳＩＡＰメッセージで新しい指示もしくはＩＥ（情報要素）を与えることによって（例えば、ＬＴＥにおいて）一時停止されうることを通知することができる（例えば、ＭＭＥ１４２は、この指示を、例えば、ＷＴＲＵＣｏｎｔｅｘｔＭｏｄｉｆｉｃａｔｉｏｎＲｅｑｕｅｓｔで（例えば、ＣＳＦＢインジケータおよび／またはＷＴＲＵ識別とともに）与えることができる）。新しいＩＥは、ＬＩＰＡベアラーが一時停止もしくは無効化されうるか、または一時停止もしくは無効化されるべきであることを指示する値を有することができる。ある代表的な実施形態では、ＭＭＥ１４２は、ＬＩＰＡ  ＰＤＮ接続が、例えば、ＷＴＲＵ１０２に対するオペレータポリシーに基づき、またはオペレータポリシーと無関係に、一時停止もしくは無効化されうること、または一時停止もしくは無効化されるべきであることをＨｅＮＢ１７４に通知することを選択することができる。ＭＭＥ１４２から（例えば、ＬＩＰＡベアラーを一時停止するために）受信された指示に基づき、ＨｅＮＢ１７４は、ＣＳＦＢまたはＨＯからＷＴＲＵ１０２が利用不可能であるという理由でベアラーを一時停止することをＬＧＷ１７２に通知することができる。ＬＧＷ１７２がデータをＷＴＲＵ１０２に能動的に回送した場合、ＬＧＷ１７２は、ＬＩＰＡ  ＰＤＮセッションが再開されるまでＬＩＰＡベアラー一時停止のためにＷＴＲＵ１０２のデータのバッファリングを開始することができる。ある代表的な実施形態では、バッファリングは、ＨｅＮＢ１７４で実行されうる。ＣＮトラヒックに対して他のベアラーがある場合（例えば、ＷＴＲＵ１０２が少なくとも１つの他のＰＤＮ接続を有している場合）、１つまたは複数のベアラーは、ＰＳ  ＨＯがサポートされている場合に、ＣＳＦＢの一部としてハンドオーバーされうることが企図される。ＰＳ  ＨＯの実行中、１つまたは複数のＬＩＰＡベアラーは、（例えば、ＬＴＥにおいて）一時停止状態を保ちうる。
【０１０６】
ある代表的な実施形態では、ＬＩＰＡベアラーを一時停止または無効化するためユーザーの入力が要求されることがある。ユーザーからの指示が、ＲＲＣメッセージングを介してＨｅＮＢ１７４に、またはＮＡＳメッセージングを介してＭＭＥ１４２に送信されうる。ＭＭＥ１４２および／またはＨｅＮＢ１７４は、受信した指示に従って活動し（例えば、ユーザーがＬＩＰＡ  ＰＤＮ接続を無効化するプリファレンスを指示する場合）、ＭＭＥ／ＨｅＮＢ１４２および１７４（および最終的にはＬＧＷ１７２）は、ＬＩＰＡ  ＰＤＮ接続の無効化に進むことができる。例えば、ＰＳ  ＨＯを介した、ＷＴＲＵ１０２に対する、実行中である場合および／または実行中のときのＨｅＮＢ１７４およびシステム間の変更は、ＧＥＲＡＮ／ＵＴＲＡＮ２０５および２１０にハンドオーバーされるベアラーの一部としてＬＩＰＡベアラーを含むことはありえない。
【０１０７】
ＬＩＰＡ  ＰＤＮ接続が、ＷＴＲＵ１０２に対して一時停止されている場合、ＭＭＥ／ＨｅＮＢ（またはｅＮＢ）／ＬＧＷ１４２、１７４、および１７２は、タイマーを使って、ＬＩＰＡベアラーを一時停止する持続時間をガードすることができる。タイマーがタイムアウトし、ＷＴＲＵ１０２が発信元／元のＨｅＮＢ１７４に戻っていない（例えば、まだ戻っていない）（例えば、ＬＴＥにおいて）場合、ＬＧＷ１７２は、ＬＩＰＡ  ＰＤＮ接続／ベアラーを無効化することができる。無効化は、ＬＧＷ１７２またはＨｅＮＢ１７４のいずれかによってＨｅＮＢ１７４およびＭＭＥ１４２に指示されうる。タイマーは、タイマーのタイムアウト後にＬＩＰＡベアラーを無効化することをＬＧＷ／ＨｅＮＢ１７２および１７４に通知することができるＭＭＥ１４２（またはＨｅＮＢ１７４）内にあるものとしてもよい。ＷＴＲＵ１０２は、同じ挙動に対して類似のタイマー設定がなされているＬＩＰＡベアラーに対する一時停止コマンドを受信することができる。ＷＴＲＵ１０２は、ＬＩＰＡに対する一時停止フラグをたてて、後で再開するために有用であればデータを（例えば、アップリンク用に）バッファリングすることができる。一時停止されている場合、ＷＴＲＵ１０２は、ローカルでＬＩＰＡベアラーを無効化しえない。
【０１０８】
ＷＴＲＵ１０２が、ＣＳＦＢまたは何らかの種類の一時的不在を終えた（例えば、完了した）場合に、ＷＴＲＵ１０２が一時停止したＬＩＰＡアクセスを再開するつもりであれば、いったんアイドルモードに入ってから、元のＨｅＮＢ１７４（またはＣＳＧセル）がまだ適切なセルである場合に、その元のＨｅＮＢ１７４（またはＣＳＧセル）への再選択をすることができる。ネットワーク側で、一時停止したＬＩＰＡアクセスを再開することを望んでいる場合、ネットワーク側で、ＷＴＲＵ１０２をその元のＨｅＮＢ１７４（またはＣＳＧセル）にリダイレクトすることができる。このリダイレクションは、ＣＳサービスが完了した後に３Ｇ／ＵＴＲＡＮ２１０またはＧＥＲＡＮ  ２０５システムによって実行されうる。例えば、ＳＧＳＮ１５８（または他のＣＮノード、例えば、ＭＳＣ１５６／ＶＬＲ（図示せず））は、発信元ＨｅＮＢ１７４へのリダイレクションを実行することをＲＡＮ１０４に要求することができる。この要求は、ＷＴＲＵ１０２またはＬＴＥネットワーク（例えば、ＭＭＥ１４２もしくはＨｅＮＢ１７４）からＧＥＲＡＮ／３Ｇネットワーク２０５および２１０（例えば、ＢＳＳ、ＮＢ、ＨＮＢ、ＳＧＳＮ、ＭＳＣ／ＶＬＲ、ＲＮＣ）に送信される指示に基づくものとすることができる。
【０１０９】
ＷＴＲＵ１０２は、ＣＳＦＢまたは何らかの一時的不在から発信元／元のＨｅＮＢ１７４（またはＣＳＧセル）に戻る場合に、一時停止したＬＩＰＡ接続／トラヒックは、もしまだ無効化されていなければ、以下のメカニズムのうちの１つまたは複数で再開されうる。
【０１１０】
ＷＴＲＵ１０２は、ＨｅＮＢ１７４／ＣＳＧセルにＲＲＣ接続確立もしくは再確立メッセージおよび／または他のＵＬ  ＲＲＣメッセージが生じた場合に一時停止したＬＩＰＡ接続／トラヒックを再開するつもりであることを指示するインジケータを送信することができ、ＨｅＮＢ１７４は、一時停止したベアラーを再開するためのＬＧＷ１７２および／またはＭＭＥ１４２（例えば、ＭＭＥ１４２はＬＧＷ１７２にＬＩＰＡサービスの再開を要求することができる）へのそのような指示、またはネットワーク／ＭＭＥ１４２（例えば、ＭＭＥ１４２はメッセージ、情報、および／またはシグナリングを使用してメッセージをＨｅＮＢ１７４、ＬＧＷ１７２、またはその両方に（例えば、順に）送信してＬＩＰＡサービスを再開することができる）へのＳＲ、ＴＡＵ、または他のＰＤＮ接続シグナリングメッセージなどのＥＭＭメッセージを回送／レプリケート（例えば、同様の意図のある別のメッセージを送信）することができるか、またはＬＧＷ／ＨｅＮＢ１７２および１７４は、関連するＷＴＲＵ１０２への一時停止したＬＩＰＡ接続／トラヒックの存在を、ＷＴＲＵがＣＳＧセルまたはＨｅＮＢ１７４に戻ることが検出された場合に指示することができる。
【０１１１】
ＷＴＲＵ１０２が、アイドルモード中の場合、ＬＧＷ／ＨｅＮＢ１７２および１７４は、関連するＷＴＲＵ１０２へのＣＮページングまたはＲＡＮページング（例えば、ＵＭＴＳにおける）を呼び出すことができる。ＷＴＲＵ１０２が、ＨｅＮＢ１７４に接続されているか、または接続プロセスに入っている場合、ＨｅＮＢ／ＬＧＷ１７４および１７２はいずれかが、関連するＷＴＲＵ１０２への指示を、ＲＲＣ上の、もしくはＥＭＭ上のＤＬシグナリングメッセージまたは与えられた（例えば、特別な）ＬＧＷ１７２からＷＴＲＵへのメッセージを介して実行することができるか、またはＨｅＮＢ／ＬＧＷ１７４および１７２はいずれかがＭＭＥ１４２をトリガーして関連するＷＴＲＵ１０２に対してすでに一時停止したＬＩＰＡベアラーを再開することができるか、またはＬＧＷ／ＨｅＮＢ１７２および１７４は関連するＷＴＲＵ１０２との一時停止したＬＩＰＡベアラーの再接続（例えば、再接続だけ）を行うことができる。
【０１１２】
ＷＴＲＵ１０２／ユーザーは、ＷＴＲＵ１０２がＣＳＦＢまたはなんらかの一時的不在から元のＨｅＮＢ１７４またはＣＳＧセルに戻る場合に一時停止したＬＩＰＡ接続／トラヒックを無視することができ、一時停止フラグまたはバッファリングされているデータを削除することができる。
【０１１３】
ＷＴＲＵ１０２／ユーザーは、一時停止したＬＩＰＡ接続および／またはトラヒックを再開するためＨｅＮＢ／ＬＧＷ１７４および１７２の指示を拒絶するか、または無視することができる。その場合、ＨｅＮＢ／ＬＧＷ１７４および１７２は、一時停止フラグおよびバッファリングされているデータを削除し、すでに一時停止したＬＩＰＡベアラーの無効化ステータスをＭＭＥ１４２に通知することができる。
【０１１４】
ある代表的な実施形態では、ＭＭＥ１４２は、ＬＩＰＡ  ＰＤＮ接続がＷＴＲＵ１０２に利用可能であった場合に、ＥＳＲがＨｅＮＢ１７４と異なるセルから送信されれば、ＥＳＲを拒絶しえない。ＬＩＰＡ  ＰＤＮ接続を有している（例えば、単一のＬＩＰＡ  ＰＤＮ接続のみを有している）ＷＴＲＵ１０２が、アイドルモードでＨｅＮＢ１７４から外へ出て（ＬＩＰＡ接続が提供された場合）、ＣＳＦＢについてＥＳＲをＭＭＥ１４２に送信する場合、ＭＭＥ１４２は、ＷＴＲＵ１０２がＬＩＰＡに対するＰＤＮ接続を有している（例えば、有しているのみ）の場合（例えば、そうであるとしても）ＥＳＲを拒絶しえない（ＥＳＲに含まれうるサービスタイプ（例えば、ＭＯ  ＣＳＦＢ、または３つのＭＯ緊急呼、または補助サービスなど）に関係なく）。ＷＴＲＵ１０２は、ＣＳＦＢを実行する前に最初に再アタッチすることはできない。ＷＴＲＵ１０２は、ＣＳＦＢを続けることができ、ＭＭＥ１４２は、ＣＳサービスが完了したか、またはＷＴＲＵ１０２がＬＴＥに戻った場合にネットワークに再アタッチするようＷＴＲＵ１０２に後から要求することができる。ＭＭＥ１４２は、ＷＴＲＵ１０２がＬＴＥにおいて暗黙のうちにデタッチされうることをＳＧインターフェースを介してＭＳＣ１５６／ＶＬＲに通知することができる。したがって、ＭＳＣ１５６／ＶＬＲは、ＧＥＲＡＮ／ＵＴＲＡＮ２０５および２１０においてＷＴＲＵ１０２のページングを保つことができ、ＷＴＲＵ１０２がＬＴＥにおける組み合わされた登録を完了するまでページング要求をＭＭＥ１４２に回送することはできない。ＭＳＣ１５６／ＶＬＲまたはＳＧＳＮ１５８は、ＭＭＥ１４２が暗黙のデタッチについてＷＴＲＵ１０２に通知する場合にＩＳＲ（アイドルモードシグナリングリダクション）が無効化されることをＷＴＲＵ１０２に指示することができる。
【０１１５】
ある代表的な実施形態では、ＷＴＲＵ１０２は、ＥＳＲが暗黙のデタッチを指示する原因とともに拒絶される場合、ＣＳドメインを選択するか、またはＣＳドメインへ再選択することを選ぶことができる。ＷＴＲＵ１０２は、最初に、ＣＳサービスを出すことに進み、その後、ＬＴＥに戻り、アタッチを実行することができる。
【０１１６】
ある代表的な実施形態では、ＬＩＰＡ  ＰＤＮ接続のみでＷＴＲＵ接続モードモビリティを処理する処理手順が実装されうる。ＷＴＲＵ１０２が、ＬＩＰＡのＰＤＮ接続を有し（例えば、ＬＩＰＡのＰＤＮ接続のみを有し）（他に例えば、ＣＮトラヒックのＰＤＮ接続を有しておらず）、ＨｅＮＢ１７４が接続モードＷＴＲＵ  ＨＯをまさに実行しようとしている場合、発信元ＨｅＮＢ１７４は、ＷＴＲＵ１０２に対するＬＩＰＡベアラーを無効化／解放するようＬＧＷ１７２に要求することができる。ＬＩＰＡベアラーを無効化／解放する要求が発生した場合、ＷＴＲＵ１０２は、ＷＴＲＵ１０２に対するＬＩＰＡベアラーを無効化／解放するためにハンドオーバーされる他のベアラーを有しえない。
【０１１７】
発信元ＨｅＮＢ１７４がＬＧＷ１７２においてＬＩＰＡベアラーの無効化の後にＷＴＲＵ１０２に対してこれ以上ベアラーが存在していないと判定したか、みなしている場合、ＨｅＮＢ１７４は、ＨＯ手順を中断することができる。ＨｅＮＢ１７４は、ＷＴＲＵのＲＲＣ接続を（例えば、ＷＴＲＵ１０２を別の隣接セルにリダイレクトすることによって）気に入る（例えば、満足する）ことができる。ＷＴＲＵ１０２が別のセルへ移動し（例えば、および／またはそこでアタッチを試み）、ＮＡＳメッセージ（例えば、ＳＲまたはＴＡＵ）をＭＭＥ／ＳＧＳＮ１４２および１５８に送信する場合、ＷＴＲＵのＮＡＳメッセージは拒絶され、ＷＴＲＵ１０２は再アタッチを要求されることがある（例えば、原因指示「ｉｍｐｌｉｃｉｔ  ｄｅｔａｃｈ（暗黙のデタッチ）」とともにサービス拒絶またはＴＡＵ拒絶を送信することによって）。ＷＴＲＵ１０２は、強制的にアイドルモードにされ、および／または次に接続モードに移動することを試みるため強制的にＮＡＳメッセージを送信させられうる。ＷＴＲＵのＲＲＣ接続は、リダイレクション情報なしで解放されうる。ある代表的な実施形態では、新しい解放原因を導入して、ＷＴＲＵ１０２に、ネットワーク上の再アタッチを実行することを通知するか、またはＷＴＲＵ１０２に、ベアラー欠如しているためＨＯを続行できなかったことを通知することができ、ＷＴＲＵ１０２は、次いで、アタッチ手順を実行することができる。
【０１１８】
ある代表的な実施形態では、ＬＧＷ１７２が、ＷＴＲＵ１０２に対してＬＩＰＡベアラーの無効化を開始したときに（例えば、これはＭＭＥ１４２に向けて送信される）、ＭＭＥ１４２が、他の非ＬＩＰＡベアラーがないとみなすか、および／またはそう判定した場合、ＭＭＥ１４２は、ＨＯを続けることをＨｅＮＢ１７４に通知することができ、例えば、ＭＭＥ１４２は、ＬＩＰＡベアラーを解放することをＨｅＮＢ１７４に通知し、ＳＲＢ  ＨＯを実行することができる。これは、ＳＩＡＰメッセージ（または３Ｇの場合のＲＡＮＡＰメッセージもしくは他のシステムに対する他の同等のメッセージ）で新しい指示を使用することで実行されうる。ＨｅＮＢ１７４は、ＬＧＷ１７２もしくはＭＭＥ１４２のいずれかもしくはその両方によってＷＴＲＵ１０２に対する非ＬＩＰＡベアラーがもうないことを指示することができる。ＭＭＥ１４２は、発信元セル内にまだある間に、または適宜、ＳＲＢのみのＨＯを実行して、もしくは実行せずにＷＴＲＵ１０２がターゲットセルに移動した後、新しいＰＤＮ接続を再有効化することをＷＴＲＵ１０２に要求することができる。本明細書で開示されているすべての実施形態は、ＲＡＴ間ＨＯ手順に等しく適用可能であることが企図される。
【０１１９】
ＣＳＦＢが原因でＨｅＮＢ１７４がＨＯを実行している場合、ＨｅＮＢ１７４は、ＨｅＮＢ１７４がＨＯの実行を開始する前にＬＩＰＡベアラーの無効化を完了するＬＧＷ１７２を、待つことができない。ＨｅＮＢ１７４は、ＬＩＰＡベアラーが無効化される前にＨＯを実行することができ、ＨｅＮＢ１７４は、ＬＩＰＡベアラーを一時停止することをＬＧＷ１７２に通知することができる。ある代表的な実施形態では、例えば、ＨＯまたはＣＳＦＢを実行しながら、ＨｅＮＢ１７４は、ＬＩＰＡベアラーを有効化することをＬＧＷ１７２に要求することができる。ＬＩＰＡベアラーの無効化は、例えば、ＣＳＦＢの後に、遅延がＣＳＦＢ手順に影響を及ぼさないように、および／またはＩＭＳ緊急呼があるためＨＯが実行されるべきである場合に、ＬＩＰＡベアラーが無効化されているため遅延なしで（例えば、即座に）ＷＴＲＵ１０２によって完了させることができる。例えば、ＨｅＮＢ１７４は、ＩＭＳ緊急呼を有するＷＴＲＵ１０２に対してＨＯを実行する前にＬＩＰＡベアラーの無効化を待つことができない（例えば、ベアラーの無効化を待つと、時間遅延が生じ、ＷＴＲＵ１０２がＨｅＮＢ１７４との無線接続を喪失して、例えば緊急呼をもし１つ存在すれば含むそれの呼（例えば、それのすべての呼）をドロップするおそれがある）。ＩＭＳ緊急呼が存在する場合、またはＣＳＦＢがＰＳ  ＨＯで実行されるときに、ＭＭＥ１４２は（それがＨＯシグナリングの一部である場合）、遅延が加わらないようにさらなるアクションを拒絶または要求しないでＨＯを続けることを許すことができる。ＭＭＥ１４２が適切なノード、例えば、ＳＧＷ１４４によるＬＩＰＡベアラーの解放（または無効化）を要求した場合、解放または無効化は、ＰＳ  ＨＯと並行して、または遅延（例えば、すべての遅延）が排除されるようにＰＳ  ＨＯが完了した後実行されうる。
【０１２０】
ＬＧＷ１７２にＬＩＰＡベアラーの無効化の実行を要求すると、ＨｅＮＢ１７４は、無効化に対する理由（同様に、一時停止を要求した理由）を入れることができる。無効化または一時停止に対するこの理由は、ＭＭＥ１４２に（ＨｅＮＢ１７４もしくはＬＧＷ１７２によって）回送されうる。ＭＭＥ１４２が受け取った理由を解析するときに、ＭＭＥ１４２は、ＬＩＰＡベアラーの解放を要求することなくＨＯを続行することを選択するか、または再度のアタッチ（例えば、アタッチまたは再アタッチ手順の開始）をＷＴＲＵ１０２に要求することができる。ある代表的な実施形態では、ＭＭＥ１４２による要求は、ＬＩＰＡベアラーを無効化するために使用されうる（例えば、ＷＴＲＵ１０２が別のＰＤＮ接続を有している場合）。ＭＭＥ１４２は、ＬＩＰＡベアラーを無効化することを選択し、ＷＴＲＵ１０２に、いくつかの場合おいて、例えば、ＷＴＲＵ１０２がＩＭＳ緊急呼を有していないときに、再アタッチを要求することができる。ＷＴＲＵ１０２が、ＩＭＳ緊急呼を有しているか、またはＣＳＦＢを要求している場合、ＭＭＥ１４２は、そのような条件が存在していると判定することができ、その条件の指示を使用して、概して、ＣＳＦＢにおいて、および／またはＨＯにおいて、いくつかの手順を遅延させ、ＨＯの完了を高速化するか、または遅延を短縮することができる。
【０１２１】
ある代表的な実施形態では、ＨｅＮＢ１７４は、ＨＯを続けることができ、ＳＲＢ（シグナリング無線ベアラー）のＨＯを（例えば、無線ベアラーＨＯがないだけで）実行することができる。ＨｅＮＢ１７４は、ＭＭＥ１４２に対して、（１）ＨＯがＳＲＢに対するものでありうること（例えば、ＳＲＢのみに対するものであり、無線ベアラーに対するものではない）、（２）ＨＯの理由（例えば、「ｎｏ  ＣＮ  ｂｅａｒｅｒｓ  ａｖａｉｌａｂｌｅ（ＣＮベアラーは利用できない）」）を指示することができる。これらの指示は、既存のメッセージの一部としてのものであってもよい（例えば、Ｓ１ベースのＨＯの場合にＳ１ＳＰインターフェース越しに送信されうるＨａｎｄｏｖｅｒ  Ｒｅｑｕｉｒｅｄメッセージ）。ＭＭＥ１４２は、オペレータポリシーまたはネットワーク構成に基づきＨＯを受け入れるか、または拒絶することができる。ＭＭＥ１４２がＨＯを拒絶する場合、ＭＭＥ１４２は、ＲＲＣ接続を解放し、ＷＴＲＵ１０２を別のセルにリダイレクトすることができる発信元ＨｅＮＢ１７４にその拒絶を指示することができる。ＭＭＥ１４２がＨＯを受け入れる場合、ＭＭＥ１４２はターゲットセルに、ＳＲＢ  ＨＯ（例えば、ＳＲＢのみのＨＯ）に対するリソースを用意するよう要求することができ、ＭＭＥ１４２は、ＨＯがＳＲＢ  ＨＯ（例えば、ＳＲＢ  ＨＯのみ）であるというターゲットセルへの指示を入れることができる。ＨＯの完了後に、ＭＭＥ１４２は、ＰＤＮ接続の要求を開始することをＷＴＲＵ１０２に通知することができる。これは新しいＮＡＳメッセージであるか、またはネットワーク側で、Ａｃｔｉｖａｔｅ  Ｄｅｆａｕｌｔ  ＥＰＳ  Ｂｅａｒｅｒ  Ｃｏｎｔｅｘｔ  Ｒｅｑｕｅｓｔメッセージ（ＮＡＳ  ＥＳＭメッセージである）を送信することによってデフォルトのＥＰＳ（発展型パケットシステム）ベアラーを有効化することをＷＴＲＵに直接通知することができ、ＷＴＲＵ１０２に対して現在アクティブなＰＤＮ接続が存在していないことをＷＴＲＵ１０２に指示すべき新しい原因を含めることができる。ＷＴＲＵ１０２およびネットワークは、そのようなメッセージがＷＴＲＵ１０２によって受信された後に典型的な、または通常の手順に従うものとしてもよい。ネットワーク／ＭＭＥ１４２が新しいＰＤＮ接続を確立することをＷＴＲＵ１０２に要求することは、アイドルモードモビリティで（例えば、ＷＴＲＵ１０２がＨｅＮＢ１７４から出たときに）実行することができ、後で、ＳＲもしくはＴＡＵ（ＴＡ更新）要求メッセージを送信することができる。ＳＲもしくはＴＡＵ要求を拒絶する（そして、それが暗黙のうちにデタッチされることをＷＴＲＵ１０２に通知する）代わりに、ネットワーク側では、ＴＡＵ要求を受け入れ、ＰＤＮ接続を確立することをＷＴＲＵ１０２に通知することができる。ある代表的な実施形態では、ＨＯの完了後に、ＭＭＥ１４２は、システムに再アタッチすることをＷＴＲＵ１０２に通知することができる（例えば、値が「ｒｅ−ａｔｔａｃｈ  ｒｅｑｕｉｒｅｄ（再アタッチ要求）」に設定されているデタッチタイプを有するＮＡＳ  Ｄｅｔａｃｈ  Ｒｅｑｕｅｓｔメッセージを送信することによって）。
【０１２２】
Ｘ２ベースのＨＯの場合、発信元ＨｅＮＢ１７４は、ＨＯがＳＲＢ（例えば、ＳＲＢのみ）ベースであることをターゲットの通知し、Ｓ１ＨＯの場合について本明細書で説明されているように進行しうる。ターゲットは、ＨＯの完了後に、Ｐａｔｈ  Ｓｗｉｔｃｈ  ＲｅｑｕｅｓｔメッセージでＳＲＢ  ＨＯに関してＭＭＥ１４２に通知することができる。発信元ＨｅＮＢ１７４は、その実行前にＳＲＢ  ＨＯ（例えば、ＳＲＢのみＨＯ）についてＭＭＥ１４２に通知することができ、ＭＭＥ１４２がＳＲＢ  ＨＯを受け入れるか、または拒絶するのを待つことができる。
【０１２３】
ある代表的な実施形態では、新しいメッセージが実装されうるか、または既存のメッセージが、ＳＲＢ  ＨＯを規定するための新しいＩＥ（情報要素）を含むことができる。例えば、新しいメッセージはＳ１ベースであってもよく、および／または既存のメッセージは、新しいＩＥを伴ってＳ１ベースであってもよい。ある代表的な実施形態では、ＨｅＮＢ１７４は、ＨＯを続けることができ、無線ベアラーＨＯがないだけでＳＲＢのＨＯを実行することができる。発信元ＨｅＮＢ１７４は、ＨＯがＳＲＢ  ＨＯ（例えば、ＳＲＢのみハンドオーバー）であることをＷＴＲＵ１０２に（例えば、ＲＲＣ再構成メッセージの一部として）指示することができる。ＨＯが正常に完了した後に、ＷＴＲＵ１０２は、デフォルトのＰＤＮ接続有効化の要求を開始することができる。
【０１２４】
ある代表的な実施形態では、ＨｅＮＢ１７４は、ＨＯを続けることができ、無線ベアラーＨＯがないだけでＳＲＢのＨＯを実行することができる。ＷＴＲＵ１０２は、ＨＯがＳＲＢのみＨＯであることを（例えば、ＲＲＣ再構成メッセージのコンテンツに基づき自立的に、またはＨｅＮＢ１７４からの明示的指示に基づき）検出し、デフォルトのＰＤＮ接続に対する要求を自立的に開始することができる。
【０１２５】
上述の代表的な実施形態のうちの一部または全部について、デフォルトのＰＤＮ接続有効化手順が失敗した場合、ＷＴＲＵ１０２は、接続の解放（例えば、ＳＲＢの解放）を自立的に開始することができる。ある代表的な実施形態では、ネットワーク側（例えば、ＭＭＥ１４２）は、デフォルトのＳＲＢの解放を開始することができる。
【０１２６】
ある代表的な実施形態では、ＨＯの前にただ１つのＬＩＰＡ  ＰＤＮ接続／ベアラーを修正することができる。ＷＴＲＵ１０２のＨＯを実行する前に、接続／ベアラーのＬＩＰＡ属性を消去／無効化し、これにより、今や通常の非ＬＩＰＡ接続で通常のＨＯがＷＴＲＵ１０２に対して実行されるようにできる。ＷＴＲＵ１０２は、割り当てられているＩＰアドレスを保存することができ、ネットワーク側でＷＴＲＵ１０２をネットワークに再び再アタッチさせるためデタッチされず、これにより、サービス継続性（例えば、ＰＳサービスおよび／またはページングの再開）を有効化し、ネットワークに対して使用される全体的なシグナリングのオーバーヘッドを減らすことができる。
【０１２７】
ＨｅＮＢ／ＬＧＷ１７４および１７２は、明示的なネットワーク開始ＰＤＮ接続／ＥＰＳベアラー修正のいずれかに対するメッセージまたはインジケータを介してＭＭＥ１４２に、ＬＩＰＡベアラーを非ＬＩＰＡベアラーになるように修正するよう通知することができ、他の接続詳細（例えば、ＩＰアドレスおよび／またはＭＭＥ１４２を含む）を入れて、当該ＰＤＮ接続／ベアラーを暗黙のうちに非ＬＩＰＡ化することができる（例えば、ＬＩＰＡベアラーを通常ベアラーにする／修正することによって）。修正では、とりわけ、同じＭＭＥ１４２および／または同じＰＧＷ１４６内にありうるＨＯに適用することができる。ＷＴＲＵ１０２も当該ベアラーを非ＬＩＰＡ化するのであれば、類似の指示がＷＴＲＵ１０２に送信されうる。ＨｅＮＢ／ＬＧＷ１７４および１７２は、ＬＩＰＡ接続コンテキストおよびデータを当該ベアラーから取り除き、ＷＴＲＵ１０２に対して通常のＨＯの実行を開始することができる。
【０１２８】
ある代表的な実施形態では、ＨＯは、ＷＴＲＵ１０２がＬＩＰＡ  ＰＤＮ接続（例えば、ＬＩＰＡ  ＰＤＮ接続のみ）を有しているときに無効化されうる。ＨＯはサービス品質を維持するので、ＨＯからＬＩＰＡ  ＰＤＮ接続（例えば、この接続のみ）が失われると、現在のサービスが喪失しうる。ただ１つのＬＩＰＡ  ＰＤＮ接続の場合、ＷＴＲＵ１０２が無線リンクを維持できる限りＨｅＮＢ１７４上にとどまることを許可することが有益であることがある。ＨＯは、ただ１つのＬＩＰＡ  ＰＤＮ接続を有するＷＴＲＵ１０２において無効化され、それはＲＬＦ（無線リンク失敗）手順を使用して無線リンクの品質を監視することができる。ネットワーク側で、ただ１つのＬＩＰＡ  ＰＤＮ接続を有するＷＴＲＵ１０２においてＲＬＦパラメータ（例えば、指定された、または特別なＲＬＦパラメータ）を構成することができる。ＲＬＦがトリガーされると、ＷＴＲＵ１０２は、ＲＲＣ接続再確立手順を実行して、ＷＴＹＲＵのサービスを復旧することができるか、またはＲＲＣ接続再確立手順が失敗した場合にＴＡＵを実行するか、もしくは再アタッチすることができる。上述の手順は、可能な限り、任意の組み合わせで使用することができ、（例えば、３Ｇ  ＣＳＧセルからの唯一のＬＩＰＡ  ＰＤＮ接続があるＷＴＲＵ１０２において処理するとき）３Ｇの場合にも適用することができる。
【０１２９】
ある代表的な実施形態では、ＣＳＧ加入が失効し、ＷＴＲＵ１０２が１つのＬＩＰＡ  ＰＤＮ接続を有する（例えば、有するだけの）場合、ＷＴＲＵコンテキストを処理するための処理手順が実装されうる。ＷＴＲＵ１０２は、唯一のＬＩＰＡ  ＰＤＮ接続を有するか、またはＷＴＲＵは、ＣＮトラヒックに対して１つのＬＩＰＡ  ＰＤＮ接続と少なくとも別の１つのＰＤＮ接続を有することができることが企図される。
【０１３０】
ＷＴＲＵ１０２が、唯一のＬＩＰＡ  ＰＤＮ接続を有している場合、ＷＴＲＵ１０２がＣＳＧセルにアクセスを試みたときに（例えば、ＳＲまたはＥＳＲまたはＴＡＵメッセージを送信することができる）ＷＴＲＵの加入が失効していると、ネットワーク側は、そのＮＡＳメッセージを拒絶し、ＷＴＲＵ１０２に、既存の拒絶原因、例えば、「Ｎｏｔ  ａｕｔｈｏｒｉｚｅｄ  ｆｏｒ  ｔｈｉｓ  ＣＳＧ（このＣＳＧは許可されていない）」を送信しうる。一手順において、ＷＴＲＵ１０２は、好適なセルを探索することができる。ＷＴＲＵの新しいセルは、発信元ＨｅＮＢ１７４（または３Ｇの場合にはＨＮＢ）と異なりうるため、ＬＩＰＡ接続は利用可能でない場合がある。ＷＴＲＵ１０２が別のＮＡＳメッセージをターゲットセルから送信する場合、ＮＡＳメッセージは、原因コード指示「ｉｍｐｌｉｃｉｔｌｙ  ｄｅｔａｃｈｅｄ（暗黙的にデタッチされた）」で再び拒絶され、ＷＴＲＵ１０２は、システムに再アタッチしなければならないことがある。この手順は、サービスに遅延を引き起こし、および／またはユーザーエクスペリエンスに否定的影響を及ぼしうる。原因＃２５を受け取った後、進行中のＬＩＰＡ  ＰＤＮ接続があることを（例えば、ＬＩＰＡに対して使用されるよく知られているＡＰＮに基づき）知ることができる、ＷＴＲＵ１０２は、好適なセルを探索し、それに加えて、ＭＭＥ１４２（または３Ｇの場合にはＳＧＳＮ１５８）にシグナリングを送らずにローカルでＬＩＰＡ  ＰＤＮ接続（例えば、関係するベアラー（例えば、すべてのベアラー））を無効化することができる。ＷＴＲＵ１０２は、そのＰＤＮ接続（例えば、すべてのそのＰＤＮ接続）がローカルで無効化されていた場合に、アタッチ手順を直接開始することができる。ある代表的な実施形態では、ＷＴＲＵ１０２は、アタッチ手順を実行することなく新しいＰＤＮ接続を要求することができ、またＰＤＮ接続が確立された後システムにおいて再開することができる。そのような実施形態は、例えば、ＬＴＥおよび／または３Ｇを含む他のＲＡＴに適用されることが企図される。
【０１３１】
ある代表的な実施形態では、ＣＳＧセルにおいて許可されていないこと、またそれに加えて、暗黙のうちにデタッチされていることをＷＴＲＵ１０２に通知する新しい原因コードが実装されうる。ＷＴＲＵ１０２は、好適なセルを探索することができ、アタッチ手順を開始することができる。新しい原因コードは、遅延時間を短縮できるが、それは、ＬＩＰＡに対してＰＤＮ接続しか有していない場合にＷＴＲＵ１０２が他の何らかの形で最終的には好適なセルにおいて再び拒絶されうるからである。
【０１３２】
ＷＴＲＵ１０２がＬＩＰＡ  ＰＤＮ接続を有し、ＣＮトラヒックに対する少なくとも１つの他のＰＤＮ接続が存在する場合について、ＷＴＲＵ１０２が原因＃２５を受け取った場合、好適なセルを探索することに加えて、ＷＴＲＵ１０２は、ＭＭＥ１４２（またはＳＧＳＮ１５８）にシグナリングを送ることなくＬＩＰＡ  ＰＤＮ接続に関連するそのベアラーをローカルで無効化することができる。ＷＴＲＵ１０２は、そのＣＮ  ＰＤＮ接続に関連するベアラーを維持することができる。
【０１３３】
ある代表的な実施形態では、ＩＭＳ緊急呼およびＬＩＰＡ接続を処理するための処理手順を備えることができる。ＷＴＲＵ１０２は、ＬＩＰＡ  ＰＤＮ接続を有している間（例えば、ＬＩＰＡ  ＰＤＮ接続中）ＩＭＳ緊急呼を発呼することを望みうることが企図される。ＷＴＲＵ１０２は、ＬＩＰＡ接続が利用可能であったＣＳＧセル内にもはや存在しえない（例えば、入っていない）。ＷＴＲＵ１０２は、ＬＩＰＡ  ＰＤＮ接続が与えられた場所と異なるセルからＮＡＳメッセージを送信することができ、ＷＴＲＵ１０２がＬＩＰＡに対してＰＤＮ接続を１つしか有していない場合、それが暗黙のうちにデタッチされることを通知されうる。ＷＴＲＵ１０２は、再アタッチすることができる。ＷＴＲＵ１０２が、緊急呼を発呼することを望んでいる場合、要求が緊急呼に対するものであるためＷＴＲＵ１０２を拒絶し、強制的に再アタッチさせることには不都合がある。この場合、ネットワーク（例えば、ＭＭＥ１４２、ＳＧＳＮ１５８、または他のＣＮノード）は、ＬＩＰＡ接続が維持されえないため、ＷＴＲＵ１０２を拒絶できない。ネットワーク側では、その代わりに、緊急呼に対するＷＴＲＵの要求を受け入れことができ（例えば、適切なシグナリングを通常の緊急呼要求手順に従って通すことを許すことができ）、例えば、ＮＡＳ  ＥＳＭ要求を送信してＬＩＰＡに関係するＰＤＮ接続を無効化することによって緊急ベアラーに対するリソース（ＮＡＳ、例えば、有効化、ＥＰＳベアラーコンテキスト、またはアクセスストラタム、例えば無線リソース）のセットアップ後（またはセットアップ中）にＬＩＰＡに関係するＷＴＲＵのベアラーを無効化することができる。新しい（あるいは、既存の）原因コードを使用して、無効化に対する理由が現在のＷＴＲＵセル内にＬＩＰＡがないことであることをＷＴＲＵ１０２に通知することができる。新しい（または既存の）原因コードは、新しいＰＤＮ接続が非緊急目的のために確立されるべきであることをＷＴＲＵ１０２に指示することができる。例えば、ＭＭＥ１４２は、Ｄｅａｃｔｉｖａｔｅ  ＥＰＳ  Ｂｅａｒｅｒ  Ｃｏｎｔｅｘｔ  ＲｅｑｕｅｓｔメッセージをＷＴＲＵ１０２に送信して、新しい原因コードでＬＩＰＡ  ＰＤＮ接続を無効化することができる。同じ実施形態が、他のシステム（例えば、同じもしくは類似の目的のために同等のメッセージを使用する３Ｇ）にも適用されることが企図される。
【０１３４】
ＷＴＲＵ１０２がＳＲ（またはパケットサービスに対してはＥＳＲ）を、緊急呼を発呼するために送信し（例えば、ＲＲＣ確立原因が緊急高に設定されうる）、ＷＴＲＵ１０２が、ＬＩＰＡに対して１つのＰＤＮ接続を有している場合、ＷＴＲＵ１０２がＬＧＷ１７２に接続するＨｅＮＢ／ＨＮＢ（サブシステム）のカバーエリア内に入っていなければ、ネットワーク側ではユーザープレーンを確立することができない。ＷＴＲＵ１０２は、ベアラーが確立されていないためローカルで登録抹消（デタッチ）することができず、再度アタッチを完了させることがある。ローカルの登録抹消による遅延を回避し、ＷＴＲＵ１０２により再アタッチするために、ＷＴＲＵ１０２は、ユーザープレーンが確立されていなくてもシステム内にとどまり、緊急呼を発呼し続けることができる。ＷＴＲＵ１０２は、緊急呼に対するＰＤＮ接続の要求を開始することができる。例えば、この場合（したがって、他の場合から区別される）、ＷＴＲＵ１０２は、応答してユーザープレーンがセットアップされない場合であっても、ＳＲ手順の特別な場合として、緊急に設定されている確立原因を使用することができる。確立原因が緊急呼に設定され、ユーザープレーンが確立されていない場合、ＷＴＲＵ１０２は、ローカルのデタッチ（登録抹消）およびその後のアタッチを実行することができず、その代わり、システム内にとどまり、引き続き任意の形態の緊急呼に対する適切なシグナリングを送ることができる（例えば、ＩＭＳおよび／またはＣＳＦＢなどを含む）。これは、なぜネットワーク側でユーザープレーンをセットアップしていないかという理由に関係なく適用することができると企図される。例えば、これは、ネットワーク内のエラーによるもの、上で説明されているようにＬＩＰＡサービス継続性の欠如によるもの、および／またはＷＴＲＵ１０２内のローカルの失敗によるものとしてもよい。例えば、ＲＲＣレベルでは、ＲＲＣレイヤは、ＮＡＳ／上位レイヤに対して失敗を指示することができる。ＷＴＲＵ１０２は、ＳＲＢの確立をサービス要求手順が正常に終了したものとみなすことができ、関係するタイマー（例えば、Ｔ３４１７）を停止することができる。ある代表的な実施形態では、ネットワークは、別のＮＡＳメッセージ（例えば、Ｓｅｒｖｉｃｅ  Ａｃｃｅｐｔなどの新しいＮＡＳメッセージ、またはサービス要求手順が正常に終了したことを指示する特定の原因値を伴うＥＭＭ情報などの既存のＮＡＳメッセージ）を送信することができる。ＷＴＲＵ１０２は、この指示を使用して、この手順が成功したと判定（または結論）することができ、関係するタイマーを停止することができる。
【０１３５】
ある代表的な実施形態では、ネットワークは、実際のユーザーデータが交換されないとしても、ＬＩＰＡ  ＰＤＮ接続に対する無線ベアラーまたはネットワーク側でセットアップしないと決定した可能性がある他のＥＰＳベアラーをセットアップすることができる。ＭＭＥ１４２は、これらのベアラーが「モック」ベアラーであることを指摘する指示をＲＲＣに含めるよう基地局に指示することができ、ユーザープレーンデータには使用されえない、ある代表的な実施形態では、ＷＴＲＵ１０２は、サービス要求手順の終了を待たず、緊急ベアラーサービスに対するＰＤＮ接続要求を送信（例えば、直接的に送信）することができる。緊急ベアラーサービスに対するＰＤＮ接続要求への応答（または任意の形態の緊急呼について送信された他のメッセージへの応答）は、サービス要求およびＰＤＮ接続要求手順の両方の正常終了としてＷＴＲＵ１０２によって決定されうる（またはみなされうる）。ＷＴＲＵ１０２は、それ自体が緊急アタッチされていると決定するか、またはみなすことができる。ＷＴＲＵ１０２は、ＰＤＮ接続をデフォルトの非緊急ＰＤＮ接続となるように確立することができ、これはＷＴＲＵ１０２の現在の緊急セッションの存続期間中に（または緊急ベアラーサービスに対するＰＤＮ接続の存続期間中に）実行されうる。ＷＴＲＵ１０２が、ＰＤＮ接続の確立に成功すると、ＷＴＲＵ１０２は、それ自体が通常サービスモードにあると決定することができる（例えば、緊急アタッチでない、または制限サービスモードに入っている）。
【０１３６】
ある代表的な実施形態では、ＷＴＲＵ１０２は、それ自体が緊急アタッチされているとみなさず、非緊急目的のためにＰＤＮ接続を開始することができるが、ただし、とりわけ、（１）緊急呼の期間中、（２）ＬＩＰＡ  ＰＤＮ接続の無効化の後、および／または（３）緊急呼の着信後である。ＰＤＮ接続の開始は、自立的であるか、またはＬＩＰＡに対するＰＤＮ接続を無効化する要求で受け取った原因コードに基づくものとしてもよい。この場合を、緊急ベアラーサービスに対するＰＤＮ接続が許可され、ネットワーク側でＷＴＲＵ１０２が緊急アタッチされているとみなす（例えば、非緊急ベアラー、例えば、すべての非緊急ベアラーを無効化することによって、ただしその結果、ＷＴＲＵ１０２であってもそれ自体を緊急アタッチされているとみなす）場合から区別するために、ＬＩＰＡ  ＰＤＮ接続を無効化するために使用される新しい原因コードで、ＷＴＲＵ１０２が緊急アタッチされていないことを指示することができる。ある代表的な実施形態では、ネットワーク側で、ＮＡＳまたはＲＲＣメッセージを介して明示的にこの指示（例えば、ＷＴＲＵ１０２が緊急アタッチされていない）をＷＴＲＵ１０２に送信することができる。
【０１３７】
ある代表的な実施形態では、ＬＩＰＡ接続が存在するときにアイドルモード再選択を処理する処理手順が実装されうる。ＷＴＲＵ１０２は、アイドルモードにおいて、ＵＴＲＡＮ（３Ｇ）からＬＴＥに移行することができることが企図される。同じことが、ＬＴＥからＧＥＲＡＮ／ＵＴＲＡＮ２０５および２１０へのアイドルモードにおけるモビリティ（および適切な場合には接続モード）、またはＭＭＥ１４２またはＳＧＳＮ１５８などのいくつかのノードの変更を伴うＬＴＥ内、３Ｇ内、および／またはＧＥＲＡＮ内モビリティ（例えば、ＬＴＥ内のＭＭＥ１４２もしくは３Ｇ内のＳＧＳＮ１５８の変更を引き起こすモビリティ）に適用可能であるものとしてもよい。
【０１３８】
ＷＴＲＵ１０２がアイドルモードにおいて３ＧからＬＴＥに移動し、ＴＡＵを実行する場合、ＭＭＥ１４２は、ＳＧＳＮ１５８と接触することができる（例えば、コンテキスト要求メッセージを使用してＷＴＲＵのコンテキストを取り出すことによって）。ＳＧＳＮ１５８は、コンテキスト応答メッセージで応答することができる。ＳＧＳＮ１５８は、ＭＭＥ１４２に、ＭＭＥ１４２に送信される通常の情報に加えてＷＴＲＵ１０２がＬＩＰＡ  ＰＤＮ接続を有するかどうかを通知することができる。この情報は、例えば、ＰＤＰコンテキストＩＥに含まれうるか、またはＭＭＥ１４２に送信されるメッセージに入れられる新しいＩＥとして定義されうる。ＳＧＳＮ１５８は、ＬＩＰＡ接続が与えられたセルのＬＩＰＡ（例えば、セルＩＤまたは類似のＩＤ、例えば、ＣＳＧ  ＩＤ）に関係する他の情報を含むことができる。ＷＴＲＵ１０２は、ＣＮトラヒックに対する別のＰＤＮ接続を有する場合も、または有していない場合があることも企図される。
【０１３９】
ある代表的な実施形態では、ＬＩＰＡベアラーおよび関連情報、例えば、ＩＰアドレスは、ＭＭＥ１４２へのメッセージに含まれえない。ＭＭＥ１４２は、ＷＴＲＵ１０２が、発信元システム内にＩＰアドレスを有していなかったと判定することができる。ＭＭＥ１４２は、例えば、発信元システムにおいてＷＴＲＵ１０２に対して利用可能な他のＰＤＮ接続がなかった場合に再アタッチすることをＷＴＲＵ１０２に要求する、さらなるアクションを適宜実行することができる。発信元ノード（例えば、ＳＧＳＮ１５８）は、ターゲットノード（例えば、ＭＭＥ１４２）をＷＴＲＵのコンテキストで更新するときに、ＬＩＰＡ関係情報（例えば、とりわけベアラーおよび／またはＩＰアドレス）を除外することができる。この除外は、ＷＴＲＵ１０２が、ＣＮトラヒックに対する別のＰＤＮ接続を有しているかどうかに関係なく、生じうる。アイドルモードモビリティは、可能な限り、接続モードモビリティに対して適用できることが企図される。
【０１４０】
ＭＭＥ１４２が情報を受信した後、ＴＡＵでＷＴＲＵ１０２によって送信されたＩＥとの比較を行うことができる（例えば、ＷＴＲＵ１０２においてアクティブであるＥＰＳベアラーを示しうるＥＰＳベアラーコンテキストステータスＩＥ）。ＭＭＥ１４２は、ＬＩＰＡモビリティがサポートされていない場合、ＳＧＳＮ１５８からの指示により（またはそれに従って）ＬＩＰＡ関連ベアラーおよび関係ＩＰアドレスをローカルで（例えば、ＬＩＰＡ関連ベアラーおよび関係ＩＰアドレスの全部）無効化することができる（例えば、ＷＴＲＵ１０２にシグナリングを送ることなく）。ＭＭＥ１４２は、ＷＴＲＵ１０２が別のＰＤＮ接続（例えば、ＬＩＰＡ接続と異なる）を有していた場合にＴＡＵを受け入れることによってＷＴＲＵ１０２に応答することができ、ＴＡＵ  ＡｃｃｅｐｔメッセージでＷＴＲＵ１０２に、ＥＰＳベアラーコンテキストステータスＩＥにより（またはそれに従って）ＷＴＲＵ１０２に対してアクティブ状態を保つベアラーを指示することができる。
【０１４１】
ＷＴＲＵ１０２がＣＮトラヒックに対する別のＰＤＮ接続を有していない場合（例えば、ＬＩＰＡは  ＰＤＮ接続のみを有している場合）、ＭＭＥ１４２は、ＴＡＵを受け入れ、ＰＤＮ接続に対する要求を実行することをＷＴＲＵ１０２に要求することができる。ＴＡＵ  Ａｃｃｅｐｔメッセージ内の新しい原因は、ＰＤＮ接続に対する要求を実行することをＷＴＲＵ１０２に指示するように実装されうる。ある代表的な実施形態では、ＭＭＥ１４２はＴＡＵを受け入れて、ＥＰＳベアラーコンテキストステータスＩＥ内にＷＴＲＵ１０２に対するアクティブなＥＰＳベアラーがないことを指示することができる。ＷＴＲＵ１０２は、この指示に基づき、新しいＩＰアドレスを取得するＰＤＮ接続性要求をトリガーすることができる。他の代表的な実施形態では、ＷＴＲＵ１０２は、Ａｔｔａｃｈ手順を開始することができる。ある代表的な実施形態では、ＭＭＥ１４２はＷＴＲＵのＴＡＵを拒絶し、ＷＴＲＵ１０２が暗黙のうちにデタッチされていることを指示することができ、またＷＴＲＵ１０２は、アタッチ手順を実行することができる。
【０１４２】
上で説明されているメッセージ、例えば、コンテキスト要求およびコンテキスト応答メッセージは、代表例であり、他の同等のもしくは類似のメッセージを使用することができることが企図される（例えば、ＳＧＳＮ１５８が３ＧＰＰ規格の特定のバージョンもしくはリリースをサポートしている場合、他のメッセージを代わりに使用することができる（例えば、ＳＧＳＮコンテキスト要求および／またはＳＧＳＮコンテキスト応答）。
【０１４３】
接続モードで（例えば、ＨＯ時に）システム間変更が行われる場合、発信元システムは、ＷＴＲＵ１０２がＨＯの後にアタッチ手順を直接的に開始するか、またはＴＡＵを開始しうることをＷＴＲＵ１０２に指示することができる。この指示は、ＷＴＲＵ１０２がＬＩＰＡ  ＰＤＮ接続を有していたかどうか（例えば、有しているのみ）に依存しうる。例えば、ＷＴＲＵ１０２がＬＩＰＡに対するＰＤＮ接続のみを有していた場合（例えば、ＨＮＢもしくは発信元ＮＣＢ）、これは、ＷＴＲＵ１０２が拒絶されえないように、アタッチ手順、ＰＤＮ接続要求が続くＴＡＵ、または別の適切な手順（例えば、ＨＯコマンド、またはリダイレクション情報を伴うＲＲＣ接続解放などのモビリティメッセージの一部として）を開始することをＷＴＲＵ１０２に通知することができる。
【０１４４】
ある代表的な実施形態では、ＷＴＲＵ１０２は、ＴＡＵを実行するよう指令されるか、またはＴＡＵを実行することを通知されうる（例えば、ＷＴＲＵ１０２がＣＮトラヒックに対してＬＩＰＡ  ＰＤＮ接続および別のＰＤＮ接続の両方を有している場合）。
【０１４５】
ＷＴＲＵ１０２は、複数のＰＤＮ接続を有しているかどうか、および／またはＰＤＮ接続がＬＩＰＡ  ＰＤＮ接続であるかどうかに関する知識を使用して、再選択の後にＴＡＵまたはアタッチを、またはＵＴＲＡＮ２１０（またはＧＥＲＡＮ  ２０５）からＥ−ＵＴＲＡＮ１７０（例えば、ＬＴＥにおける）へのＨＯを実行するかどうかを決定することができる。例えば、ＷＴＲＵ１０２が、ＬＴＥへのシステム間変更を実行する場合（例えば、アイドルモードにおける再選択、またはＨＯ）、ＷＴＲＵ１０２は、それが発信元システム内でＰＤＮ接続を有していたかどうかを判定することができる。ＷＴＲＵ１０２が、ＵＴＲＡＮ２１０からＥ−ＵＴＲＡＮ１７０への、またはその逆の向きのアイドルモード再選択もしくは接続モードＨＯを実行する場合、以下が適用されうる。
【０１４６】
ＰＤＮ接続がないか、または発信元システム内にＰＤＮ接続がなかった場合、ＷＴＲＵ１０２は、ＴＡＵの代わりにＬＴＥにおいてアタッチ手順を開始することができる。
【０１４７】
ＷＴＲＵ１０２が、発信元システム内に少なくとも１つのＰＤＮ接続を有していた場合、その後、それぞれのＰＤＮ接続について、ＷＴＲＵ１０２は、ＰＤＮ接続がＬＩＰＡに対するものであるか、ＣＮトラヒックに対するものであるかをチェックすることができる。ＷＴＲＵ１０２が、１つのＰＤＮ接続（例えば、唯一のＰＤＮ接続）を有し、ＷＴＲＵ１０２が、そのＰＤＮ接続がＬＩＰＡに対するものであるという指示を受け取った（または有する）場合、ＷＴＲＵ１０２は、（１）そのＬＩＰＡ  ＰＤＮ接続、関連するベアラー、および／またはＰＤＰコンテキストをローカルで無効化し、（２）ローカルでデタッチし、および／または（３）アタッチ手順を開始することができる。ＷＴＲＵ１０２が複数のＰＤＮ接続を有し、それらのＰＤＮ接続（例えば、ＰＤＮ接続のすべて）がＬＩＰＡ  ＰＤＮ接続である場合、ＷＴＲＵ１０２は、（１）そのＬＩＰＡ  ＰＤＮ接続、関連するベアラー、および／またはＰＤＰコンテキストをローカルで無効化し、（２）ローカルでデタッチし、および／または（３）アタッチ手順を開始することができる。ＷＴＲＵ１０２が唯一のＰＤＮ接続を有し、そのＰＤＮ接続がＬＩＰＡに対するものでないという指示を有している場合（またはＰＤＮ接続がＬＩＰＡに対するものであるという指示を受信していなかった場合）、ＷＴＲＵ１０２は、ＴＡＵ手順を開始し、ＷＴＲＵ１０２内でアクティブであるベアラーを指示することができる。ＷＴＲＵ１０２が、複数のＰＤＮ接続を有している場合、ＷＴＲＵ１０２は、それがＬＩＰＡに対するものでない少なくとも１つのＰＤＮ接続を有しているかどうかをチェックすることができる。ＷＴＲＵ１０２が、ＬＩＰＡに対するものでないＰＤＮ接続を有している場合、ＷＴＲＵ１０２は、ＬＩＰＡ  ＰＤＮ接続を無効化し、ＴＡＵ手順を開始し、どのベアラーがＷＴＲＵ１０２内でアクティブであるかをＭＭＥ１４２に指示することができる（例えば、ＷＴＲＵ１０２は、ＬＩＰＡ  ＰＤＮ接続ベアラーに関係する情報を含まないことがある）。
【０１４８】
ある代表的な実施形態では、ＷＴＲＵ１０２は、例えば、ＵＳＩＭ（汎用加入者識別モジュール）またはＷＴＲＵの不揮発性メモリ内に事前構成されうる、ＯＭＡ（オープンモバイルアライアンス）ＤＭ（デバイス管理）、ＯＴＡ（オーバーザエア）、および／またはショートメッセージサービス（ＳＭＳ）を介してＷＴＲＵ１０２に送信されうるオペレータポリシーもしくは構成により（またはそれに従って）ＴＡＵまたはアタッチ手順を開始することができる。
【０１４９】
ある代表的な実施形態では、ＷＴＲＵ１０２が、（リダイレクションもしくはＨＯのいずれかによって）Ｅ−ＵＴＲＡＮ１７０からＣＳＦＢを実行している場合、ＷＴＲＵ１０２は、ターゲットシステムに向かうときに、そのＬＩＰＡ  ＰＤＮ接続および／またはＬＩＰＡベアラーをローカルで削除することができる。ＷＴＲＵ１０２は、ＰＤＮ接続がＬＩＰＡに対するものであるかどうかに関して有している知識または指示を使用する。ＷＴＲＵ１０２は、ターゲットシステムに移動する（例えば、進む）ときにそのＬＩＰＡ  ＰＤＮ接続および／またはＬＩＰＡベアラーを削除（例えば、常にローカルで削除）するか、またはネットワーク指示もしくはオペレータポリシー／構成によりＬＩＰＡベアラーを一時停止／維持（例えば、常に一時停止もしくは維持）するように構成されうる。ＷＴＲＵ１０２が、移動／進行先であるターゲットＣＳセルがＨｅＮＢ１７４と同一の場所に物理的に置かれている別のＨＮＢ（例えば、ＬＴＥ  ＣＳセル）であることを知っている場合、ＷＴＲＵ１０２は、ＬＩＰＡセッションの復帰と再開が可能である場合のためにＬＩＰＡベアラーを維持することができる。
【０１５０】
図７は、ＬＩＰＡ（ローカルインターネットプロトコルアクセス）ＰＤＮ（パケットデータネットワーク）接続を管理するための代表的な方法を例示する流れ図である。
【０１５１】
図７を参照すると、代表的な方法７００は、ＷＴＲＵ１０２へのＬＩＰＡ  ＰＤＮ接続を管理することができることがわかる。ブロック７１０で、ＷＴＲＵ１０２への通信のためＬＩＰＡ  ＰＤＮ接続から非ＬＩＰＡ  ＰＤＮ接続（例えば、３Ｇ接続）に切り替える切替え操作（例えばＣＳＦＢ操作）を実行することができる。例えば、ＷＴＲＵ１０２は、音声（または回線交換（ＣＳ））通話を行いたい、または音声（またはＣＳ）通話を受けたい場合がある。ＷＴＲＵ１０２は、例えば、ＣＳＦＢ操作を開始するＭＭＥ１４２へのＳＲ（サービス要求）を開始することができる。ブロック７２０で、ＭＭＥ１４２は、ＬＧＷ１７２にＣＳＦＢ操作を通知することができ、切替え操作（例えば、ＣＳＦＢ操作）に応答して、ＬＩＰＡ  ＰＤＮ接続の一時停止を開始することができる。ある代表的な実施形態では、ＭＭＥ１４２は、切替えおよび一時停止手順を制御／管理することができる。ネットワークエンティティでは、例えば、ＭＭＥ１４２、ｅＮＢもしくはＨｅＮＢ１７２、ＬＧＷ１７４、および／またはＰＧＷ１４６を含む、切替え手順および一時停止手順を実装／開始する制御もしくは管理シグナリング／メッセージングを提供することができることが企図される。
【０１５２】
ある代表的な実施形態では、ＬＧＷ１７４は、一時停止したＬＩＰＡ  ＰＤＮ接続を再開することができる。ＬＩＰＡ  ＰＤＮ接続の再開は、切替え操作の後、または切替え操作の終了に応答して（例えば、音声通話もしくはＣＳ呼が着信した後）トリガーされうる。ＬＩＰＡ  ＰＤＮ接続の再開は、自動的であるものとしてもよく、ＷＴＲＵ１０２が再びＬＩＰＡ  ＰＤＮ（例えば、またはＬＴＥ  ＲＡＴなどの元の無線アクセス技術）のサービスを受けることができるように開始されうる。例えば、ＬＩＰＡ  ＰＤＮ接続の一時停止は、ＬＩＰＡ接続に関連付けられている１つまたは複数ＬＩＰＡベアラーが切替え操作（例えば、ＣＳＦＢ操作）の実行後に動作を再開できるようにＬＧＷ１７４がＬＩＰＡ  ＰＤＮ接続に関連付けられている１つまたは複数のＬＩＰＡベアラーを（例えば、終了することなく）一時停止することを含みうる。
【０１５３】
ある代表的な実施形態では、１つまたは複数の非ＬＩＰＡ  ＰＤＮ接続（例えば、ＬＴＥドメインなどのローカルセルに関連付けられている第１のドメイン内の）は、ＣＳＦＢ操作の実行前に確立されうる。例えば、ＷＴＲＵ１０２へのまたは複数のＬＩＰＡ  ＰＤＮ接続が、ローカルセルに関連付けられている第１のドメイン（例えば、ＬＴＥドメイン）内に存在する場合、ＣＳＦＢ操作時にＷＴＲＵがローカルセルから外へ出ると、第１のドメイン内のＷＴＲＵ１０２のＬＩＰＡ  ＰＤＮ接続が終了しうる。非ＬＩＰＡ  ＰＤＮ接続を第１のドメイン内に追加することによって、ＬＩＰＡ  ＰＤＮ接続のコンテキストを、ＣＳＦＢ操作が終了した後にＷＴＲＵ１０２へのＬＩＰＡ  ＰＤＮ接続を後で再開できるように維持されうることが企図される。
【０１５４】
ある代表的な実施形態では、ＷＴＲＵ１０２または他のネットワークエンティティは、ＷＴＲＵとの第１のドメイン内の非ＬＩＰＡ  ＰＤＮ接続が存在するかどうかを判定することができ、第１のドメイン内の非ＬＩＰＡ  ＰＤＮ接続が存在しない場合にＣＳＦＢ操作の実行前に非ＬＩＰＡ  ＰＤＮ接続を選択的に確立することができる。
【０１５５】
ある代表的な実施形態では、切替え操作は、ＷＴＲＵとの通信が第１のタイプのもの（例えば、とりわけ、音声通話および／または低帯域要件を有するサービス）である場合に開始されうる。
【０１５６】
ある代表的な実施形態では、切替え操作は、ＷＴＲＵとの通信が第１のタイプのものまたは１つまたは複数の指定されたタイプのもの（例えば、とりわけ、ストリーミングビデオ、高ＱｏＳ要求サービス、および／または高帯域幅を必要とするサービス）でない場合に中断されうる。例えば、切替え操作の実行は、ＬＩＰＡ  ＰＤＮ接続を介して送信される通信がいつ第１のタイプのものであるかを判定することと、非ＬＩＰＡ  ＰＤＮ接続を介して第１のタイプの通信を送信することとを含むことができ、ＬＩＰＡ  ＰＤＮ接続の再開は、第１のタイプの通信がいつ終了したかを判定することと、ＬＩＰＡ  ＰＤＮ接続を介して、第１のタイプの通信の後に続く、第２のタイプの通信を送信することとを含むことができる。ある代表的な実施形態では、非ＬＩＰＡ接続は、別のタイプのＲＡＴ（例えば、ＣＳＦＢ対応ＲＡＴ）および／または別のタイプのドメイン（例えば、ＣＳドメイン）内にあるものとしてもよい。
【０１５７】
ある代表的な実施形態では、ＬＩＰＡ  ＰＤＮ接続の一時停止は、ＷＴＲＵとのＰＤＮ接続が非ＬＩＰＡ  ＰＤＮであるかどうかを判定することと、例えば、ＷＴＲＵ１０２との１つまたは複数のＬＩＰＡ  ＰＤＮ接続（例えば、ＬＩＰＡ  ＰＤＮ接続のみ）が存在する（例えば、ＷＴＲＵ１０２との接続のタイプに基づき）ときに、ＬＩＰＡ  ＰＤＮ接続の無効化を防ぐこととを含みうる。
【０１５８】
ある代表的な実施形態では、ＬＩＰＡ  ＰＤＮベアラー（例えば、ＬＩＰＡ接続）の無効化または再開は、ＣＳＦＢ操作がＬＩＰＡ接続の無効化もしくは再開のいずれかの前に終了できるように指定された期間が経過した後であるものとしてもよい。例えば、ＬＩＰＡは、指定された時間の間、一時停止され、その後、ＷＴＲＵ１０２がローカルセルにおいてサービスを再開しない場合に、ＬＩＰＡベアラー（例えば、ＬＩＰＡ  ＰＤＮ接続）は一時停止タイマーのタイムアウトに基づき無効化されうる。例えば、一時停止タイマーは、一時停止期間中にＷＴＲＵ１０２が一時停止したＬＩＰＡ  ＰＤＮ接続の一時停止を解除し、一時停止タイマーを中止することによって通信を再開することができるようにＬＩＰＡ  ＰＤＮ接続が一時停止されたときに開始されうる。一時停止期間が終了すると、ＬＩＰＡ  ＰＤＮ接続は無効化され、もはや一時停止を解除されなくなる（例えば、コンテキスト情報が削除されるか、または消去され、ＬＩＰＡ  ＰＤＮ接続の再開は可能でなくなるものとしてもよい）。
【０１５９】
ある代表的な実施形態では、非ＬＩＰＡ  ＰＤＮ接続に関連付けられているＰＤＮ（例えば、ＣＳＦＢ対応サービスに使用される）は、一時停止したＬＩＰＡ  ＰＤＮ接続を再開して保留中サービスを実行するようにさらなる切替え操作を実行できるように保留中サービス（例えば、ＰＳ（パケット交換）サービス）を通知されうる。例えば、一時停止したＬＩＰＡ  ＰＤＮ接続を再開するさらなる切替え操作は、ＣＳＦＢ操作の終了に応答してなされるものとしてもよい。
【０１６０】
ある代表的な実施形態では、ＣＮノードは、ＰＤＰ（パケットデータプロトコル）またはＰＤＮ接続がＬＩＰＡ接続であるかどうかを、ＷＴＲＵコンテキストを要求するため交換されるメッセージで指示することができる。
【０１６１】
図８は、ＬＩＰＡ（ローカルインターネットプロトコルアクセス）ＰＤＮ（パケットデータネットワーク）接続を管理するための別の代表的な方法を例示する流れ図である。
【０１６２】
図８を参照すると、代表的な方法８００は、ＷＴＲＵ１０２へのＬＩＰＡ  ＰＤＮ接続を管理することができることがわかる。ブロック８１０で、ＷＴＲＵ１０２への通信のためＬＩＰＡ  ＰＤＮ接続から非ＬＩＰＡ  ＰＤＮ接続（例えば、３Ｇ接続）に切り替える切替え操作（例えばＣＳＦＢ操作）を実行することができる。例えば、ＷＴＲＵ１０２は、ＣＳ（回線交換）呼を行いたい、またはＣＳもしくは音声通話を受けたい場合がある。ＷＴＲＵ１０２は、例えば、ＣＳＦＢ操作を開始するＭＭＥ１４２へのＳＲ（サービス要求）を開始することができる。ある代表的な実施形態では、ＬＩＰＡ  ＰＤＮは、ＬＩＰＡセルからＷＴＲＵ１０２をデタッチもしくは切断する切替え操作に応答してローカルで無効化されうる。ブロック８２０で、ＷＴＲＵ１０２は、所望のサービスに応じてＷＴＲＵ１０２をアタッチするアタッチ手順を開始することができる（例えば、ＣＳＦＢサービスについては、ＷＴＲＵは、とりわけ、３Ｇドメイン、ＵＴＲＡＮドメイン、および／またはＧＥＲＡＮドメインなどのＣＳ対応ドメインにアタッチすることができる）。
【０１６３】
ある代表的な実施形態では、ＴＡＵ（トラッキングエリア更新）手順は、ＷＴＲＵ１０２がＬＩＰＡに対するものではないＰＤＮ接続を有することに応答して開始され、機能強化されたシグナリングを使用して、ＷＴＲＵ１０２内でどのベアラーがアクティブであるかがＭＭＥ  １５４２に指示されうる。
【０１６４】
ある代表的な実施形態では、ＣＳＧ（限定加入者グループ）加入の失効が検出されると、ＬＩＰＡ  ＰＤＮ接続はローカルで無効化されうる。
【０１６５】
ある代表的な実施形態では、ＷＴＲＵ１０２から受信したＩＭＳ（ＩＰマルチメディアサブシステム）緊急呼は、第１のセルがＬＩＰＡ  ＰＤＮ接続が与えられているセルでないことに応答して、第１のセルによって拒絶されることはない。
【０１６６】
図９は、ＷＴＲＵによる再選択を処理するための代表的な方法を示す流れ図である。
【０１６７】
図９を参照すると、代表的な方法９００は、ＷＴＲＵ１０２によるアイドルモード再選択を処理することができることがわかる。ブロック９１０で、ＬＩＰＡ  ＰＤＮ接続を確立することができる。ブロック９２０で、ＷＴＲＵ１０２は、アイドルモード中の間に一方のネットワーク（例えば、ＰＤＮ）から別のＰＤＮに移動することができる。ブロック９３０で、ＭＭＥ１４２は、ＷＴＲＵ１０２のステータス（例えば、ＷＴＲＵ１０２がＬＩＰＡ  ＰＤＮ接続を有しているかどうか）の通知を受けることができる。例えば、ＷＴＲＵ１０２は、ＥＰＳ（発展型パケットシステム）ベアラーがＷＴＲＵ１０２内でアクティブであるかどうかを指示することができるＩＥ（情報要素）を含むシグナリングまたはメッセージをＭＭＥ１４２に送信することができる。これにより、ＭＭＥ１４２は、ＷＴＲＵ１０２に対する再アタッチおよび／またはリダイレクト手順を制御し、例えば、別のＰＤＮに移動した後にＬＩＰＡ  ＰＤＮ接続への再アタッチを行う無保証の、もしくは不要な作業に伴う遅延時間を短縮するか、またはなくすことができる。
【０１６８】
図１０は、ＷＴＲＵのコンテキストを管理するための代表的な方法を示す流れ図である。
【０１６９】
図１０を参照すると、代表的な方法１０００は、ＣＳＧ加入が失効したときにコンテキストを管理することができることがわかる。ブロック１０１０で、ＬＩＰＡ  ＰＤＮ接続を確立した後、ＬＩＰＡ  ＰＤＮに対するベアラーは、ローカルで無効化されうる（原因＃２５または新しい原因コードを受信することに基づき）。ブロック１０２０で、ＷＴＲＵ１０２は、率先してアタッチを実行することができる。ブロック１０３０で、ＷＴＲＵ１０２は、ＣＳＧセルにアクセスすることを試みることができる。ブロック１０４０で、ＷＴＲＵ１０２は、ＷＴＲＵがＣＳＧセルにアクセスすることを試みたときにＷＴＲＵの加入が失効してしまった後ではＷＴＲＵ１０２はＣＳＧへのアクセスを許可されないこと、およびＷＴＲＵがＬＩＰＡに対する１つのＰＤＮ接続を有していることを指示するメッセージを受信することができる。例えば、ＬＩＰＡ  ＰＤＮ接続に関連付けられているＷＴＲＵ１０２のベアラーは、ＭＭＥ１４２にシグナリングを送るかまたはメッセージを与えることなく、ローカルで無効化されうる。
【０１７０】
図１１は、緊急呼を発呼するための代表的な方法を示す流れ図である。
【０１７１】
図１１を参照すると、代表的な方法１１００は、ＷＴＲＵ１０２から緊急呼を発呼することができることがわかる。ブロック１１１０で、ＷＴＲＵ１０２は、確立節（例えば、緊急に設定されうる）で送信することができる情報とともにＳＲタイプを送信することができる。ブロック１１２０で、ＭＭＥ１４２（および／またはＬＧＷ１７４）は、確立節で送信された情報を使用してＷＴＲＵ１０２のローカルでの登録抹消を防ぐことができる。ブロック１１３０で、緊急呼に対してＰＤＮ接続を開始することができる。
【０１７２】
ある代表的な実施形態では、ＷＴＲＵ１０２は、確立節が緊急呼に設定され、ＷＴＲＵがローカルのデタッチ（登録抹消）およびその後のアタッチを実行できず、その代わりにシステム内に留まり、引き続き任意の形態の緊急呼に対するシグナリングを送ることができるように（例えば、とりわけ、ＩＭＳまたはＣＳＦＢ）ユーザープレーンが確立されていないとしてもＳＲ手順の特別な成功の場合として緊急に設定されている確立節を使用することができる。ＷＴＲＵ１０２は、シグナリング無線ベアラーの確立をＳＲ手順が正常に終了したものとみなすことができ、関係するタイマーを停止することができる。
【０１７３】
ある代表的な実施形態では、ネットワークは、別のＮＡＳメッセージ（例えば、Ｓｅｒｖｉｃｅ  Ａｃｃｅｐｔなどの新しいＮＡＳメッセージ、または既存のＮＡＳメッセージ（例えば、サービス要求手順が正常に終了したことを指示する特定の原因値を伴うＥＭＭ情報））を送信することができる。ＷＴＲＵ１０２は、この指示を使用して、この手順が成功したと結論し、関係するタイマーを停止することができる。
【０１７４】
他の代表的な実施形態では、ネットワークは、実際のユーザーデータが交換されないとしても、ＬＩＰＡ  ＰＤＮ接続に対する無線ベアラーまたはネットワーク側でセットアップしないと決定した可能性がある他のＥＰＳベアラーをセットアップすることができる。ＭＭＥ１４２は、これらのベアラーが「モック」ベアラーであることを指摘する指示をＲＲＣに含めるようｅＮＢ１４０に指示することができ、ユーザープレーンデータには使用されえない。
【０１７５】
図１２は、ＬＩＰＡ  ＰＤＮ接続を処理するための代表的な方法を示す流れ図である。
【０１７６】
図１２を参照すると、ＬＩＰＡ  ＰＤＮ接続を処理するための代表的な方法１２００は、ブロック１２１０で、回線交換フォールバックを実行することと、ブロック１２２０で、ＬＩＰＡ  ＰＤＮ接続の一時停止と無効化との間での決定を行うこととを含みうる。
【０１７７】
図１３は、ＷＴＲＵへの接続を管理するための代表的な方法を示す流れ図である。
【０１７８】
図１３を参照すると、代表的な方法１３００は、第１のタイプのＲＡＴ（無線アクセス技術）を介した接続を管理することができることがわかる。ブロック１３１０で、ＷＴＲＵへの通信のため第１のタイプのＲＡＴを介した接続から第２のタイプのＲＡＴを介したさらなる接続に切り替える切替え操作を実行することができる。ブロック１３２０で、切替え操作に応答して、第１のタイプのＲＡＴを介した接続を一時停止することができる。
【０１７９】
図１４は、ＷＴＲＵの接続を管理するための代表的な方法を示す流れ図である。
【０１８０】
図１４を参照すると、代表的な方法１４００は、ＷＴＲＵ１０２の接続を管理することができることがわかる。ブロック１４１０で、ＷＴＲＵ１０２は、第１のドメインに再アタッチすることを示すシグナリングを受信することができる。ブロック１４２０で、ＷＴＲＵ１０２は、決定された結果として、要求された（例えば、ＣＳＦＢ）および／または結果として第１のドメインへの再アタッチを示すシグナリングの受信をもたらしたサービスのタイプを決定することができる（またはＷＴＲＵ１０２は、特定の確立節の受信をトリガーした要求がＣＳＦＢサービスに対する要求であったかどうかを判定するか、または確認することができる）。例えば、決定された結果は、ＬＩＰＡ  ＰＤＮ（パケットデータネットワーク）接続が第１のドメイン（例えば、ＬＴＥドメイン）内で確立された後、ＬＩＰＡセルからＷＴＲＵ１０２が移動したためＣＳＦＢ要求が再アタッチシグナリングをもたらしたということになりうる。ブロック１４３０で、ＷＴＲＵ１０２は、決定された結果（例えば、決定された結果が例えば異なるセルもしくはネットワークを介してサービスが提供（例えば、より適切に提供）されうることを指示するときに）に基づき第２のドメイン（例えば、（１）ＧＥＲＡＮ（ＧＳＭ／ＥＤＧＥ無線アクセスネットワーク）、（２）ＵＴＲＡＮ（ＵＭＴＳ地上無線アクセスネットワーク）、および／または（３）１ｘＲＴＴ（単一キャリア無線送信技術）などのＣＳＦＢ対応ドメイン）内で通信（例えば、回線交換呼）に再選択および／または確立（自立的確立）することができる。
【０１８１】
ある代表的な実施形態では、ＷＴＲＵ１０２は、第１のドメイン（例えば、ＬＴＥドメイン）に再アタッチするシグナリングを受信した後であってもＣＳ呼を開始することを要求することができる。他の代表的な実施形態では、ＷＴＲＵ１０２は、第１のドメインに再アタッチすることを示すシグナリングを受信した後であっても回線交換呼を受信することができる。
【０１８２】
ある代表的な実施形態では、回線交換呼は、第２のドメイン内で確立され、ＷＴＲＵが（１）回線交換呼を開始するかどうか、および／または（２）ＷＴＲＵがＬＩＰＡセルから外へ出たかどうかを判定し、両方の条件が満たされている場合に（例えば、ＣＳ呼およびＬＩＰＡセルからの外への移動を望んでいる）、回線交換ドメイン内での回線交換呼のＷＴＲＵ１０２による自立的確立を行うことを含みうる。
【０１８３】
図１５は、ＷＴＲＵの接続を管理するための代表的な方法を示す流れ図である。
【０１８４】
図１５を参照すると、代表的な方法１５００は、第１のセルとのＬＩＰＡ  ＰＤＮ接続を有するＷＴＲＵ１０２のハンドオーバーを試みるときにＷＴＲＵの接続を管理することができることがわかる。ブロック１５１０で、ＨｅＮＢは、第１の条件が存在しているかどうかを判定することができる（例えば、少なくとも一部はＬＩＰＡ  ＰＤＮ接続が存在しているかどうかを判定することを含む）。ブロック１５２０で、第１の条件が存在することに応答して、（１）ＨｅＮＢは、試みられたハンドオーバー手順を中断し、ＷＴＲＵ１０２を第２のセルにリダイレクトすることができる。
【０１８５】
ある代表的な実施形態では、ＲＲＣ（無線リソース制御）接続も解放されうる。
【０１８６】
図１６は、ＷＴＲＵの接続を管理するための代表的な方法を示す流れ図である。
【０１８７】
図１６を参照すると、代表的な方法１６００は、通信のためＷＴＲＵをＬＩＰＡ  ＰＤＮ接続から非ＬＩＰＡ  ＰＤＮ接続に切り替える切替え操作の後にＬＩＰＡセルへのＬＩＰＡ（ローカルインターネットプロトコルアクセス）ＰＤＮ（パケットデータネットワーク）接続を管理することができることがわかる。ＬＩＰＡ  ＰＤＮ接続は、切替え操作の後、一時停止されうる。ブロック１６１０で、ターゲットシステム（例えば、非ＬＩＰ  ＰＤＮ接続に関連付けられているＭＳＣ）は、ＷＴＲＵのリダイレクションのための情報をＬＩＰＡセルに送り返す（例えば、その無線アクセスネットワークに）ことができる。ブロック１６２０で、ターゲットシステム（例えば、ＭＳＣまたは基地局などの他のネットワークリソース）は、一時停止したＬＩＰＡ  ＰＤＮ接続を再開するためにターゲットシステム（またはターゲットシステムのドメイン）からＬＩＰＡ  ＰＤＮ接続に関連するＬＩＰＡセルへのＷＴＲＵ１０２のリダイレクションを制御（または開始）することができる。例えば、ある代表的な実施形態では、サービングノード（ＬＩＰＡを処理していない）は、保留中サービスに関して通知を受けることができる。
【０１８８】
ある代表的な実施形態では、ＷＴＲＵ１０２は、リダイレクトされたＬＩＰＡセルにアタッチ（または再アタッチ）して保留中サービスを実行することができる。
【０１８９】
本明細書で開示されている実施形態は、任意の組み合わせで使用することができ、またさまざまな無線通信システム、例えば、ＬＴＥ、およびＧＥＲＡＮ／ＵＴＲＡＮなどに適用可能である。これらの実施形態は、ＳＩＰＴＯにも適用可能であるものとしてもよい。
【０１９０】
特徴および要素が特定の組み合わせで上述されているが、当業者であれば、それぞれの特徴もしくは要素は単独で、または他の特徴および要素と組み合わせて使用できることを理解するであろう。それに加えて、本明細書で説明されている方法は、コンピュータまたはプロセッサにより実行できるようにコンピュータ可読媒体内に組み込まれたコンピュータプログラム、ソフトウェア、またはファームウェアにより実装されうる。非一時的なコンピュータ可読記憶媒体の例としては、限定はしないが、ＲＯＭ（リードオンリーメモリ）、ＲＡＭ（ランダムアクセスメモリ）、レジスタ、キャッシュメモリ、半導体メモリデバイス、内蔵ハードディスクおよびリムーバブルディスクなどの磁気媒体、光磁気媒体、ならびにＣＤ−ＲＯＭディスクおよびＤＶＤ（デジタル多用途ディスク）などの光学媒体が挙げられる。ソフトウェアとの関連性を持つプロセッサは、ＷＴＲＵ、ＵＥ、端末、基地局、ＲＮＣ、またはホストコンピュータにおいて使用するための無線周波トランシーバを実装するために使用されうる。
【０１９１】
さらに、上で説明されている実施形態において、処理プラットフォーム、コンピューティングシステム、コントローラ、およびプロセッサを備える他のデバイスが言及されている。これらのデバイスは、少なくとも１つのＣＰＵ（中央演算処理装置）およびメモリを収容することができる。コンピュータプログラミングの当業者の技術によれば、活動への参照および演算もしくは命令の記号表現が、さまざまなＣＰＵおよびメモリによって実行されうる。このような活動および減算もしくは命令は、「実行される」、「コンピュータ実行される」、または「ＣＰＵ実行される」と称されうる。
【０１９２】
当業者であれば、これらの活動および記号的に表現された演算もしくは命令は、ＣＰＵによる電気的信号の操作を含むことを理解するであろう。電気的システムは、結果として電気的信号の変換もしくは縮小を引き起こしうるデータビットおよびメモリシステム内のメモリロケーションにおけるデータビットを維持し、それによりＣＰＵの演算を再構成するか、または他の何らかの方法で変更するステップ、さらには信号の他の処理を表す。データビットが保持されるメモリロケーションは、データビットに対応するか、またはデータビットを表す特定の電気的、磁気的、光学的、または有機的特性を有する物理的ロケーションである。
【０１９３】
データビットは、ＣＰＵによって読み出し可能な磁気ディスク、光ディスク、および他の揮発性（例えば、ＲＡＭ（ランダムアクセスメモリ））または不揮発性（例えば、ＲＯＭ（リードオンリーメモリ））大容量記憶システムを含むコンピュータ可読媒体上に保持することもできる。コンピュータ可読媒体は、連携するか、または相互接続されたコンピュータ可読媒体を含み、これは、処理システム上にもっぱら存在するか、または処理システムのローカルもしくはリモートにありうる複数の相互接続された処理システム間に分散される。代表的な実施形態は、上述のメモリに限定されないこと、また他のプラットフォームおよびメモリが説明されている方法をサポートすることができることは理解される。
【０１９４】
本出願の説明において使用されている要素、活動、または命令はどれも、そのようなものとして明示的に説明されていない限り本発明にとって重要もしくは不可欠であるものとして解釈すべきでない。また、本明細書で使用されているように、「１つ」または「ある」（原文中の冠詞「ａ」）は、１つまたは複数の項目を含むことが意図されている。１つの項目のみ意図されている場合、「１つ」（「ｏｎｅ」）という語または類似の言い回しが使用される。さらに、複数の項目および／または項目の複数のカテゴリを列挙して「のうちのどれか」を付けた場合、本明細書で使用されているように、項目「のうちのどれか」、「の任意の組み合わせ」、「任意の複数の」項目、および／または項目「の複数の組み合わせ」および／または項目のカテゴリを個別に、または他の項目および／または項目の他のカテゴリと併せて含むことが意図されている。さらに、本明細書で使用されているように、「集合」は、ゼロ個を含む、任意の個数の項目を含むことが意図されている。さらに、本明細書で使用されているように、「数」は、ゼロを含む、任意の数を含むことが意図されている。
【０１９５】
さらに、請求項は、その趣旨で述べられていない限り説明されている順序または要素に限定されるものとして読まれるべきでない。それに加えて、請求項において「手段」という用語が使用された場合、これは、米国特許法第１１２条¶６を行使することを意図しており、「手段」という用語を用いない請求項にはそのような意図はない。
【０１９６】
好適なプロセッサとして、例えば、汎用プロセッサ、専用プロセッサ、従来型のプロセッサ、ＤＳＰ（デジタルシグナルプロセッサ）、複数のマイクロプロセッサ、ＤＳＰコアとの関連性を持つ１つまたは複数のマイクロプロセッサ、コントローラ、マイクロコントローラ、ＡＳＩＣ（特定用途向け集積回路）、ＡＳＳＰ（特定用途向け標準品）、ＦＰＧＡ（フィールドプログラマブルゲートアレイ）回路、他のタイプのＩＣ（集積回路）および／または状態機械が挙げられる。
【０１９７】
ソフトウェアとの関連性を持つプロセッサは、ＷＴＲＵ（無線送信受信ユニット）、ＵＥ（ユーザー装置）、端末、基地局、ＭＭＥ（モビリティ管理エンティティ）もしくはＥＰＣ（Ｅｖｏｌｖｅｄ  Ｐａｃｋｅｔ  Ｃｏｒｅ）、またはホストコンピュータにおいて使用する無線周波トランシーバを実装するために使用できる。ＷＴＲＵは、カメラ、ビデオカメラモジュール、テレビ電話、スピーカーフォン、バイブレーションデバイス、スピーカー、マイク、テレビトランシーバ、ハンズフリーヘッドセット、キーボード、Ｂｌｕｅｔｏｏｔｈ（登録商標）モジュール、ＦＭ（周波数変調）無線ユニット、ＮＦＣ（近距離無線通信）モジュール、ＬＣＤ（液晶ディスプレイ）表示装置、ＯＬＥＤ（有機発光ダイオード）表示装置、デジタル音楽プレーヤー、メディアプレーヤー、ゲーム機モジュール、インターネットブラウザ、および／またはＷＬＡＮ（無線ローカルエリアネットワーク）モジュールまたはＵＷＢ（ウルトラワイドバンド）モジュールなどの、ＳＤＲ（Ｓｏｆｔｗａｒｅ  Ｄｅｆｉｎｅｄ  Ｒａｄｉｏ）または他のコンポーネントを含むハードウェアおよび／またはソフトウェアで実装された、モジュール群と併せて使用できる。
【０１９８】
本発明は、通信システムに関して説明されているが、これらのシステムは、マイクロプロセッサ／汎用コンピュータ（図示せず）上のソフトウェアで実装されうることも企図される。いくつかの実施形態では、さまざまなコンポーネントの機能の１つまたは複数は、汎用コンピュータを制御するソフトウェアで実装されうる。
【０１９９】
それに加えて、本発明は、特定の実施形態を参照しつつ本明細書に例示され説明されているが、本発明は、図示されている詳細に限定されることを意図していない。むしろ、さまざまな修正形態は、本発明の範囲から逸脱することなく請求項の範囲および請求項と同等の項目の範囲内で構成されうる。
【０２００】
実施形態
一実施形態において、ＷＴＲＵ（無線送信／受信ユニット）へのＬＩＰＡ（ローカルインターネットプロトコルアクセス）ＰＤＮ（パケットデータネットワーク）接続を管理する方法は、ＷＴＲＵへの通信のためＬＩＰＡ  ＰＤＮ接続から非ＬＩＰＡ  ＰＤＮ接続に切り替える切替え操作を実行するステップと、切替え操作に応答して、ＬＩＰＡ  ＰＤＮ接続を一時停止するステップとを含むことができる。
【０２０１】
一実施形態において、この方法は、ＬＩＰＡ  ＰＤＮ接続を、切替え操作の終了後に再開するステップをさらに含むことができる。
【０２０２】
一実施形態において、切替え操作の実行は、ＣＳＦＢ（回線交換フォールバック）操作を遂行するステップを含むことができる。
【０２０３】
一実施形態において、ＣＳＦＢ操作の実行は、ＷＴＲＵをＬＩＰＡ  ＰＤＮ接続に関連付けられた第１のセルから非ＬＩＰＡ  ＰＤＮ接続に関連付けられた第２のセルにリダイレクトするステップと、ＷＴＲＵを第２のセルにアタッチするステップと、回線交換サービスを実行するステップとを含むことができる。
【０２０４】
一実施形態において、この方法は、ＬＩＰＡ  ＰＤＮ接続を、切替え操作の終了に応答して、再開するステップをさらに含むことができる。
【０２０５】
一実施形態において、ＬＩＰＡ  ＰＤＮ接続の一時停止は、ＬＩＰＡ  ＰＤＮ接続に関連付けられた１つまたは複数のＬＩＰＡベアラーを一時停止するステップを含むことができる。
【０２０６】
一実施形態において、この方法は、ＣＳＦＢ操作の実行後に、ＬＩＰＡ接続に関連付けられた１つまたは複数のＬＩＰＡベアラーの動作を再開するステップをさらに含むことができる。
【０２０７】
一実施形態において、切替え操作の実行は、ＷＴＲＵをＬＩＰＡ  ＰＤＮ接続に関連付けられた第１のセルからサービングセルとしての非ＬＩＰＡ  ＰＤＮ接続に関連付けられた第２のセルにリダイレクトするステップを含むことができる。
【０２０８】
一実施形態において、第１のセルからサービングセルとしての第２のセルへのリダイレクトは、（１）同じドメインおよび第１のセルと異なるセル、または（２）第１のセルと異なる、別のドメインのうちの１つにある第２のセルにリダイレクトするステップを含むことができる。
【０２０９】
一実施形態において、切替え操作の実行は、アイドルモード再選択を実行するＷＴＲＵのＷＴＲＵによるリダイレクトを含む。
【０２１０】
一実施形態において、この方法は、ＷＴＲＵを第２のセルに再アタッチする再アタッチ操作を実行するステップをさらに含むことができる。
【０２１１】
一実施形態において、この方法は、一時停止したＬＩＰＡ  ＰＤＮ接続の操作を再開するステップをさらに含むことができ、これは、ＣＳＦＢを第２のセルに関連付けられているＭＳＣ（移動通信交換局）に通知するステップと、ＷＴＲＵを第２のセルから第１のセルに戻す形でリダイレクトする指示をＭＳＣによってＲＮＣ（無線ネットワークコントローラ）に送信するステップとを含む。
【０２１２】
一実施形態において、切替え操作の実行は、第１のドメインから第２のドメインへのリダイレクトに対するＷＴＲＵからの要求を第１のドメインに関連付けられているネットワークリソースにより受信するステップと、第２のドメインへのＷＴＲＵのリダイレクトをネットワークリソースによって開始するステップとを含むことができ、ＬＩＰＡ  ＰＤＮ接続の一時停止は、ＬＩＰＡ  ＰＤＮ接続に関連付けられている１つまたは複数のＬＩＰＡベアラーの一時停止をネットワークリソースによって開始するステップを含むことができる。
【０２１３】
一実施形態において、この方法は、通信に関連付けられている通信サービスのタイプをＷＴＲＵによって決定するステップと、その通信に関連付けられている通信サービスのタイプに基づき切替え操作を選択的に開始するステップとをさらに含むことができる。
【０２１４】
一実施形態において、通信サービスのタイプが第１のタイプであることに応答して、切替え操作を開始し、通信サービスのタイプが第２のタイプであることに応答して、切替え操作を開始しない。
【０２１５】
一実施形態において、通信サービスの第１のタイプは、回線交換サービスを含むことができ、通信サービスの第２のタイプは、パケット交換サービスを含むことができる。
【０２１６】
一実施形態において、ＬＩＰＡ  ＰＤＮ接続の一時停止は、決定された結果として、ＷＴＲＵとのＰＤＮ接続が非ＬＩＰＡ  ＰＤＮ接続であるかどうかを判定するステップと、決定された結果に基づきＬＩＰＡ接続の無効化を防ぐステップとを含むことができる。
【０２１７】
一実施形態において、切替え操作の実行は、
【０２１８】
ＬＩＰＡ  ＰＤＮ接続を介して送信される通信がいつ第１のタイプのものであるかを判定するステップと、非ＬＩＰＡ  ＰＤＮ接続を介して第１のタイプの通信を送信するステップとを含むことができ、
【０２１９】
ＬＩＰＡ  ＰＤＮ接続の再開は、第１のタイプの通信がいつ終了したかを判定するステップと、ＬＩＰＡ  ＰＤＮ接続を介して、第１のタイプの通信の後に続く、第２のタイプの通信を送信するステップとを含むことができる。
【０２２０】
一実施形態において、第１のタイプの通信は、回線交換サービス使用することができ、第２のタイプの通信サービスは、パケット交換サービスを使用することができる。
【０２２１】
一実施形態において、この方法は、指定された期間が過ぎた後、一時停止したＬＩＰＡ  ＰＤＮ接続を無効化または再開するステップをさらに含むことができる。
【０２２２】
一実施形態において、この方法は、決定された結果として、一時停止期間の終了に応答して、一時停止したＬＩＰＡ  ＰＤＮ接続を再開するか、または無効化するかを決定するステップと、決定された結果に従って、ＬＩＰＡ  ＰＤＮ接続を無効化または再開するステップとをさらに含むことができる。
【０２２３】
一実施形態において、ＷＴＲＵは、ＣＳＦＢ操作によってターゲットシステムに向けられるか、またはリダイレクトされうる。
【０２２４】
一実施形態において、この方法は、ＷＴＲＵをターゲットシステムにアタッチするステップと、一時停止したＬＩＰＡ  ＰＤＮ接続を再開するためにターゲットシステムからＬＩＰＡ  ＰＤＮ接続に関連付けられているローカルセル（例えば、ＬＩＰＡセル）へのリダイレクションを制御するステップとをさらに含むことができる。
【０２２５】
一実施形態において、この方法は、ＷＴＲＵをターゲットシステムにアタッチするステップと、ターゲットシステムからＬＴＥ（ロングタームエボリューション）ＲＡＴ（無線アクセス技術）へのリダイレクションを制御するステップとをさらに含むことができる。
【０２２６】
一実施形態において、この方法は、ローカルセルへのリダイレクションの後にＷＴＲＵをリダイレクトされたローカルセルに再アタッチするステップをさらに含むことができる。
【０２２７】
一実施形態において、この方法は、ＣＳＦＢ操作の終了に応答して、一時停止したＬＩＰＡ  ＰＤＮ接続を再開するためにリダイレクションを実行する指示をネットワークリソースまたは非ＬＩＰＡ  ＰＤＮ接続に関連付けられている無線アクセスネットワークに送信するステップをさらに含むことができる。
【０２２８】
一実施形態において、この方法は、送信された指示に応答してＷＴＲＵをＬＩＰＡ  ＰＤＮ接続に関連付けられているローカルセルにリダイレクトして一時停止したＬＩＰＡ  ＰＤＮ接続を再開するステップをさらに含むことができる。
【０２２９】
一実施形態において、この方法は、通信のためＷＴＲＵをＬＩＰＡ  ＰＤＮ接続から非ＬＩＰＡ  ＰＤＮ接続に切り替える切替え操作の後にＬＩＰＡセルへのＬＩＰＡ  ＰＤＮ接続を管理することができることがわかる。
【０２３０】
一実施形態において、ＬＩＰＡ  ＰＤＮ接続は、切替え操作の後、一時停止されうる。
【０２３１】
一実施形態において、この方法は、非ＬＩＰ  ＰＤＮ接続に関連付けられているターゲットシステムによって、ＷＴＲＵのリダイレクションのため情報をＬＩＰＡセルに送り返すステップと、一時停止したＬＩＰＡ  ＰＤＮ接続を再開するためにターゲットシステムからＬＩＰＡ  ＰＤＮ接続に関連付けられているＬＩＰＡセルへのＷＴＲＵのリダイレクションを制御するステップとを含みうる。
【０２３２】
一実施形態において、この方法は、ＷＴＲＵをリダイレクトされたＬＩＰＡセルにアタッチして保留中サービスを実行するステップをさらに含むことができる。
【０２３３】
一実施形態において、ＷＴＲＵへのＬＩＰＡ  ＰＤＮ接続を管理する方法は、切替え操作に応答して、ＬＩＰＡ  ＰＤＮ接続をローカルで無効化することによってＷＴＲＵへの通信のためＬＩＰＡ  ＰＤＮ接続から非ＬＩＰＡ  ＰＤＮ接続に切り替える切替え操作を実行するステップと、アタッチ手順を開始するステップとを含むことができる。
【０２３４】
一実施形態において、この方法は、ＷＴＲＵがＬＩＰＡに対するものではないＰＤＮ接続を有することに応答してＴＡＵ（トラッキングエリア更新）手順を開始するステップと、ＷＴＲＵにおいてアクティブなベアラーを指示するステップとをさらに含むことができる。
【０２３５】
一実施形態において、ＬＩＰＡ  ＰＤＮ接続の無効化は、ＷＴＲＵがＬＩＰＡ  ＰＤＮ接続ではないＰＤＮ接続を有することに応答してなされるものとしてもよい。
【０２３６】
一実施形態において、この方法は、どのベアラーがＷＴＲＵにおいてアクティブであるかをＭＭＥ（モビリティ管理エンティティ）に指示するステップを含むことができる。
【０２３７】
一実施形態において、ＬＩＰＡ  ＰＤＮ接続のローカルでの無効化は、ＣＳＧ（限定加入者グループ）加入の失効が検出されると、ＬＩＰＡ  ＰＤＮ接続をローカルで無効化するステップを含むことができる。
【０２３８】
一実施形態において、この方法は、ＷＴＲＵから受信したＩＭＳ（ＩＰマルチメディアサブシステム）緊急呼を、第１のセルがＬＩＰＡ  ＰＤＮ接続が与えられているセルでないことに応答して、第１のセルによって拒絶しないステップをさらに含むことができる。
【０２３９】
一実施形態において、ＷＴＲＵによるアイドルモード再選択を処理する方法は、ＬＩＰＡ  ＰＤＮ接続を確立するステップと、アイドルモード中の間に一方のネットワークから他方のネットワークに移動するステップと、ＷＴＲＵがＬＩＰＡ  ＰＤＮ接続を有しているかどうかをモビリティ管理エンティティ（ＭＭＥ）に通知するステップとを含むことができる。
【０２４０】
一実施形態において、この方法は、ＥＰＳ（発展型パケットシステム）ベアラーがＷＴＲＵにおいてアクティブであるかどうかを指示するＩＥ（情報要素）をＷＴＲＵによって送信するステップをさらに含むことができる。
【０２４１】
一実施形態において、ＣＳＧ（限定加入者グループ）の加入が失効したときにＷＴＲＵコンテキストを管理する方法は、ＬＩＰＡ  ＰＤＮ接続をＷＴＲＵによって確立するステップと、ＣＳＧセルにアクセスすることをＷＴＲＵによって試みるステップと、ＷＴＲＵがＣＳＧセルにアクセスすることを試みた場合に、ＷＴＲＵの加入が失効した後ではＷＴＲＵはＣＳＧへのアクセスを許可されないこと、およびＷＴＲＵがＬＩＰＡに対する１つのＰＤＮ接続を有していることを示すメッセージをＷＴＲＵによって受信するステップとを含むことができる。
【０２４２】
一実施形態において、この方法は、ＭＭＥ（モビリティ管理エンティティ）へのシグナリングなしでＬＩＰＡ  ＰＤＮ接続に関連付けられているＷＴＲＵのベアラーをローカルで無効化するステップをさらに含むことができる。
【０２４３】
一実施形態において、ＷＴＲＵから緊急呼を発呼する方法は、確立節が緊急に設定されたサービス要求タイプを送信するステップと、送信された確立節を使用してＷＴＲＵのローカルの登録抹消を防ぐステップと、緊急呼に対するパケットデータネットワーク接続を開始するステップとを含むことができる。
【０２４４】
一実施形態において、ＬＩＰＡ  ＰＤＮ接続を処理する方法は、回線交換フォールバックを実行するステップと、ＬＩＰＡ  ＰＤＮ接続の一時停止と無効化との間での決定を行うステップとを含むことができる。
【０２４５】
一実施形態において、第１のタイプのＲＡＴ（無線アクセス技術）を介してＷＴＲＵへの接続を管理する方法は、ＷＴＲＵへの通信のため第１のタイプのＲＡＴを介した接続から第２のタイプのＲＡＴを介したさらなる接続に切り替える切替え操作を実行するステップと、切替え操作に応答して、第１のタイプのＲＡＴを介した接続を一時停止するステップとを含むことができる。
【０２４６】
一実施形態において、ＷＴＲＵの接続を管理する方法は、第１のドメインに再アタッチするシグナリングをＷＴＲＵによって受信するステップと、決定された結果として、ＷＴＲＵがＬＩＰＡセルから移動し、確立されたＬＩＰＡ  ＰＤＮ接続を有していたかどうかをＷＴＲＵによって判定するステップと、決定された結果に基づき、第２のドメイン内で回線交換呼をＷＴＲＵによって自立的に確立するステップとを含むことができる。
【０２４７】
一実施形態において、ＷＴＲＵ（無線送信／受信ユニット）の接続を管理する方法は、第１のドメインに再アタッチするシグナリングをＷＴＲＵによって受信するステップと、ＷＴＲＵによって、要求された、しかも決定された結果として、第１のドメインに再アタッチするシグナリングを受信することをもたらしたサービスのタイプを決定するステップと、決定された結果に基づき、ＷＴＲＵによって、第２のドメインに、自立的に再選択するステップとを含むことができる。
【０２４８】
一実施形態において、この方法は、第１のドメインに再アタッチする受信したシグナリングをＷＴＲＵによって無視するステップをさらに含むことができ、第２のドメイン内で回線交換呼の自立的確立は、移動局発信ＣＳＦＢ（回線交換フォールバック）または移動局着信ＣＳＦＢをＷＴＲＵによって要求するステップを含むことができる。
【０２４９】
一実施形態において、第１のドメインは、ＬＴＥ（ロングタームエボリューション）ドメインであるものとしてもよく、第２のドメインは、回線交換ドメインであるものとしてもよい。
【０２５０】
一実施形態において、第２のドメインは、（１）ＧＥＲＡＮ（ＧＳＭ／ＥＤＧＥ無線アクセスネットワーク）、（２）ＵＴＲＡＮ（ＵＭＴＳ地上波無線アクセスネットワーク）、および／または（３）１ｘＲＴＴ（単一キャリア無線送信技術）のうちの１つであるものとしてもよい。
【０２５１】
一実施形態において、第１のセルとのＬＩＰＡ  ＰＤＮ（パケットデータネットワーク）接続を有するＷＴＲＵ（無線送信／受信ユニット）のハンドオーバーを試みる場合にＷＴＲＵの接続を管理する方法は、ＨｅＮＢ（ホームｅＮｏｄｅＢ）によって、第１の条件が存在するかどうかを判定するステップと、第１の条件が存在することに応答して、試みられたハンドオーバー手順をＨｅＮＢによって中断し、ＷＴＲＵを第２のセルにＨｅＮＢによってリダイレクトするステップとを含むことができる。
【０２５２】
一実施形態において、この方法は、無線リソース制御接続を解放するステップをさらに含むことができる。
【０２５３】
一実施形態において、第１の条件が存在しているかどうかの判定は、ＬＩＰＡ  ＰＤＮ接続が存在しているかどうかを判定するステップを含むことができる。
【０２５４】
一実施形態において、ＷＴＲＵへの１つまたは複数の接続を管理する方法は、ＷＴＲＵへの第１の接続からＷＴＲＵへの第２の接続に切り替える切替え操作を実行するステップと、切替え操作を実行した後に少なくとも指定された期間において切替え操作に応答して第１の接続を一時停止するステップとを含むことができる。
【０２５５】
一実施形態において、ＬＩＰＡ  ＰＤＮ接続を管理するための装置は、プロセッサであって、ＷＴＲＵへの通信のためＬＩＰＡ  ＰＤＮ接続から非ＬＩＰＡ  ＰＤＮ接続に切り替える切替え操作を実行し、切替え操作に応答して、ＬＩＰＡ  ＰＤＮ接続を一時停止するように構成されたプロセッサを備えることができる。
【０２５６】
一実施形態において、プロセッサは、ＬＩＰＡ  ＰＤＮ接続を、切替え操作の終了後に再開するように構成されうる。
【０２５７】
一実施形態において、プロセッサは、（１）ＷＴＲＵとの通信が第１のタイプのものであるかどうかを判定し、ＣＳＦＢ（回線交換フォールバック）操作を、通信が第１のタイプのものであることに応答して切替え操作の一部として実行するように構成されうる。
【０２５８】
一実施形態において、プロセッサは、ＬＩＰＡ  ＰＤＮ接続を、切替え操作の終了に応答して再開するように構成されうる。
【０２５９】
一実施形態において、装置は、ＬＩＰＡ  ＰＤＮ接続の一時停止の後に一時停止期間の終了を指示するように構成されうる一時停止タイマーと、プロセッサであって、一時停止期間の終了に応答して、一時停止したＬＩＰＡ  ＰＤＮ接続を再開するか、または無効化するかを決定し、一時停止期間の終了後に、一時停止したＬＩＰＡ  ＰＤＮ接続を無効化するか、または再開するように構成されうるプロセッサとをさらに備えることができる。
【０２６０】
一実施形態において、装置は、ＷＴＲＵに対する保留中サービスを非ＬＩＰＡ  ＰＤＮ接続に関連付けられているターゲットシステムに通知し、保留中サービスの実行のためリダイレクション情報を提供してＷＴＲＵを一時停止したＬＩＰＡ  ＰＤＮ接続にリダイレクトするように構成された送信／受信ユニットをさらに備えることができる。
【０２６１】
一実施形態において、プロセッサは、一時停止したＬＩＰＡ  ＰＤＮ接続を、ＣＳＦＢ操作の終了に応答して再開するリダイレクションを開始するように構成されうる。
【０２６２】
一実施形態において、プロセッサは、決定された結果として、ＷＴＲＵとのＰＤＮ接続が非ＬＩＰＡ  ＰＤＮ接続であるかどうかを判定し、決定された結果に基づきＬＩＰＡ接続の無効化を防ぐように構成されうる。
【０２６３】
一実施形態において、プロセッサは、ＬＩＰＡ  ＰＤＮ接続を介して送信される通信がいつ第１のタイプのものであるかを判定し、非ＬＩＰＡ  ＰＤＮ接続を介して第１のタイプの通信の送信を管理し、第１のタイプの通信がいつ終了したかを判定し、ＬＩＰＡ  ＰＤＮ接続を介して、第１のタイプの通信の後に続く、第２のタイプの通信の送信を管理するように構成されうる。
【０２６４】
一実施形態において、第１のタイプの通信は、回線交換サービス使用し、第２のタイプの通信は、パケット交換サービスを使用する。
【０２６５】
一実施形態において、アイドルモード中の間に一方のネットワークから他方のネットワークに移動するときにＷＴＲＵによるアイドルモード再選択を処理するための装置は、ＬＩＰＡ  ＰＤＮ接続を確立するように構成されたプロセッサと、ＷＴＲＵがＬＩＰＡ  ＰＤＮ接続を有しているかどうかをＭＭＥに通知するように構成された送信／受信ユニットとを備えることができる。
【０２６６】
一実施形態において、送信／受信ユニットは、ＥＰＳ（発展型パケットシステム）ベアラーがＷＴＲＵに対してアクティブであるかどうかを指示するＩＥ（情報要素）を送信するように構成されうる。
【０２６７】
一実施形態において、ＣＳＧ（限定加入者グループ）の加入が失効した場合にＷＴＲＵコンテキストを管理するための装置は、ＬＩＰＡ  ＰＤＮ接続を確立するように構成されたプロセッサと、送信／受信ユニットであって、（１）ＣＳＧセルにアクセスすることを試み、（２）ＷＴＲＵがＬＩＰＡ  ＰＤＮ接続を有しているかどうかをＭＭＥに通知し、（３）ＷＴＲＵがＣＳＧセルにアクセスすることを試みた場合にＷＴＲＵの加入が失効してしまった後ではＷＴＲＵはＣＳＧへのアクセスを許可されないこと、またＷＴＲＵがＬＩＰＡに対する単一のＰＤＮ接続を有していることを示すメッセージを受信するように構成された送信／受信ユニットとを備えることができる。
【０２６８】
一実施形態において、緊急呼を発呼するための装置は、ＷＴＲＵから緊急事態を示すように確立節が設定されているサービス要求タイプを送信するように構成された送信／受信ユニットと、送信された確立節を使用してＷＴＲＵのローカルの登録抹消を防止し、緊急呼に対するパケットデータネットワーク接続を開始するように構成されたプロセッサとを備えることができる。
【０２６９】
一実施形態において、第１のタイプのＲＡＴ（無線アクセス技術）を介して接続を管理するための装置は、プロセッサであって、ＷＴＲＵへの通信のため第１のタイプのＲＡＴを介した接続から第２のタイプのＲＡＴを介したさらなる接続に切り替える切替え操作の実行を制御し、切替え操作に応答して、第１のタイプのＲＡＴを介した接続を一時停止するように構成されたプロセッサを備えることができる。
【０２７０】
一実施形態において、第１のドメイン内でＬＩＰＡ（ローカルインターネットプロトコルアクセス）ＰＤＮ（パケットデータネットワーク）接続を有していたＬＩＰＡセルから移動する、接続を管理するように構成されたＷＴＲＵは、送信／受信ユニットであって、（１）回線交換呼を要求し、（２）第１のドメインに再アタッチすることを示すシグナリングを受信するように構成された送信／受信ユニットと、第１のドメインに再アタッチすることを示す受信したシグナリングを破棄し、第２のドメイン内で回線交換呼のリダイレクションを自立的に制御するように構成されたプロセッサとを備えることができる。
【０２７１】
一実施形態において、第１のドメインは、ＬＴＥドメインであり、第２のドメインは、（１）ＧＥＲＡＮ（ＧＳＭ／ＥＤＧＥ無線アクセスネットワーク）、（２）ＵＴＲＡＮ（ＵＭＴＳ地上波無線アクセスネットワーク）、または（３）１ｘＲＴＴ（単一キャリア無線送信技術）のうちの１つであるものとしてもよい。
【０２７２】
一実施形態において、プロセッサは、（１）回線交換呼を開始するかどうかを判定するように構成され、（２）ＷＴＲＵは、決定された結果として、ＬＩＰＡセルから外へ出ており、決定された結果に応答して、ＷＴＲＵを、第２のドメインとして、回線交換ドメインに自立的にリダイレクトする。
【０２７３】
一実施形態において、第１のセルとのＬＩＰＡ  ＰＤＮ接続を有するＷＴＲＵのハンドオーバーを試みる場合に接続を管理するためのＨｅＮＢ（ホームｅＮｏｄｅＢ）は、（１）第１の条件が存在するかどうかを判定し、（２）第１の条件に応答して、（ｉ）試みられたハンドオーバー手順を中断し、（ｉｉ）ＷＴＲＵを第２のセルにリダイレクトし、（３）無線リソース制御接続を解放するように構成されたプロセッサを備えることができる。
【０２７４】
一実施形態において、プロセッサは、ＬＩＰＡ  ＰＤＮ接続が、第１の条件の少なくとも一部として存在するかどうかを判定するように構成されうる。
【０２７５】
一実施形態において、非一時的なコンピュータ可読記憶媒体に、上記の方法のいずれかを実装するためコンピュータによって実行可能なコンピュータコードを格納することができる。
【図１】
2014502831.tif 000003
【図２】
2014502831.tif 000004
【図３】
2014502831.tif 000005
【図４】
2014502831.tif 000006
【図５】
2014502831.tif 000007
【図６】
2014502831.tif 000008
【図７】
2014502831.tif 000009
【図８】
2014502831.tif 000010
【図９】
2014502831.tif 000011
【図１０】
2014502831.tif 000012
【図１１】
2014502831.tif 000013
【図１２】
2014502831.tif 000014
【図１３】
2014502831.tif 000015
【図１４】
2014502831.tif 000016
【図１５】
2014502831.tif 000017
【図１６】
2014502831.tif 000018
【国際調査報告】
2014502831.tif 000019
2014502831.tif 000020
2014502831.tif 000021